(57)【特許請求の範囲】
【請求項１】
通信ネットワークを介して互いに通信可能な複数の計算機を有しており、プラントの試験対象系統を構成する試験対象系統機器を操作して得られた当該試験対象系統機器の状態を表すプラントデータに基づいて前記試験対象系統機器の動作確認用サーベイランス試験を行なうサーベイランス試験装置において、
複数のサーベイランス試験項目が順番に配列された試験手順データを記憶する試験手順データ記憶手段と、前記試験対象系統機器の動作確認用サーベイランス試験を前記試験対象系統に係わる試験手順データの試験項目に従って進行させるための指示を入力して前記通信ネットワークを介して送信する進行指示入力手段と、前記通信ネットワークを介して送信されてきた進行指示に対応する試験項目に基づくデータを前記試験対象系統機器のプラントデータに基づいて計測し、この計測データを判定することにより前記サーベイランス試験を実行し、前記計測データおよび判定結果を前記通信ネットワークを介して送信するサーベイランス試験実行手段と、前記試験対象系統に係わる試験手順データ、前記通信ネットワークを介して送信されてきた前記計測データおよび判定結果を表示する表示手段とを備え、
前記サーベイランス試験実行手段を前記複数の計算機における少なくとも１台の第１の計算機に搭載し、前記進行指示入力手段および前記表示手段を、前記複数の計算機における前記第１の計算機以外の少なくとも１台の第２の計算機に搭載する構成を有し、
前記進行指示入力手段は、前記サーベイランス試験実行中の試験項目の詳細手順の表示要求を入力する手段と、入力された実行中試験項目の詳細手順表示要求を前記通信ネットワークを介して前記第１の計算機に送信する手段とを備えており、
前記第１の計算機は、前記試験手順データの各試験項目毎に、その各試験項目の詳細な試験手順を表すデータを記憶する試験詳細手順データ記憶手段と、前記進行指示入力手段から送信された詳細手順表示要求に対応する試験詳細手順データを前記試験詳細手順データ記憶手段から読み出し、表示用の試験詳細手順データに編集して前記通信ネットワークを介して前記第２の計算機に送信する手段とを備えるとともに、
前記第２の計算機は、送信されてきた前記詳細手順表示要求に対応する表示用試験詳細手順データを表示する試験詳細手順データ表示手段を備えたことを特徴とするサーベイランス試験装置。
【請求項２】
通信ネットワークを介して互いに通信可能な複数の計算機を有しており、プラントの試験対象系統を構成する試験対象系統機器を操作して得られた当該試験対象系統機器の状態を表すプラントデータに基づいて前記試験対象系統機器の動作確認用サーベイランス試験を行なうサーベイランス試験装置において、
複数のサーベイランス試験項目が順番に配列された試験手順データを記憶する試験手順データ記憶手段と、前記試験対象系統機器の動作確認用サーベイランス試験を前記試験対象系統に係わる試験手順データの試験項目に従って進行させるための指示を入力して前記通信ネットワークを介して送信する進行指示入力手段と、前記通信ネットワークを介して送信されてきた進行指示に対応する試験項目に基づくデータを前記試験対象系統機器のプラントデータに基づいて計測し、この計測データを判定することにより前記サーベイランス試験を実行し、前記計測データおよび判定結果を前記通信ネットワークを介して送信するサーベイランス試験実行手段と、前記試験対象系統に係わる試験手順データ、前記通信ネットワークを介して送信されてきた前記計測データおよび判定結果を表示する表示手段とを備え、
前記サーベイランス試験実行手段を前記複数の計算機における少なくとも１台の第１の計算機に搭載し、前記進行指示入力手段および前記表示手段を、前記複数の計算機における前記第１の計算機以外の少なくとも１台の第２の計算機に搭載し、
前記第２の計算機は複数台であり、これら複数台の第２の計算機それぞれに前記進行指示入力手段および前記表示手段が搭載されているとともに、
各第２の計算機は、自計算機の進行指示入力手段により試験進行指示の入力可否要求を前記通信ネットワークを介して前記第１の計算機に送信する入力可否要求送信手段を備えており、
前記第１の計算機は、前記複数の第２の計算機それぞれの操作モードを記憶可能な操作モード記憶手段と、前記各第２の計算機の進行指示入力手段から送信された入力可否要求に応じて操作モード記憶手段の記憶内容を参照し、その参照結果に基づいて、前記試験進行指示入力が可能な進行指示モードを前記複数台の第２の計算機における何れか１台に設定し、この設定された１台の第２の計算機（進行指示モード計算機）の操作モードを進行指示モードとして前記操作モード記憶手段に書き込む進行指示モード設定手段と、進行指示モードを前記通信ネットワークを介して前記進行指示モード計算機に通知する第１のモード通知手段と、前記操作モード記憶手段の記憶内容参照結果に基づいて、前記進行指示計算機以外の第２の計算機の操作モードを、前記試験進行指示入力が不可で前記表示処理専用であることを表す表示モードとして前記操作モード記憶手段に書き込む表示モード設定手段と、表示モードを前記通信ネットワークを介して前記表示モードに設定された第２の計算機（表示モード計算機）に対して通知する第２のモード通知手段とを備えており、
前記進行指示モード計算機は、通知された進行指示モードを記憶する第１のモード記憶手段と、記憶された進行指示モードに応じて自計算機の進行指示入力手段からの試験進行指示入力を許可する手段とを備え、
前記表示モード計算機は、通知された表示モードを記憶する第２のモード記憶手段と、記憶された表示モードに応じて自計算機の進行指示入力手段からの試験進行指示入力を無効にする手段とを備えたことを特徴とするサーベイランス試験装置。
【請求項３】
通信ネットワークを介して互いに通信可能な複数の計算機を有しており、プラントの試験対象系統を構成する試験対象系統機器を操作して得られた当該試験対象系統機器の状態を表すプラントデータに基づいて前記試験対象系統機器の動作確認用サーベイランス試験を行なうサーベイランス試験装置において、
複数のサーベイランス試験項目が順番に配列された試験手順データを記憶する試験手順データ記憶手段と、前記試験対象系統機器の動作確認用サーベイランス試験を前記試験対象系統に係わる試験手順データの試験項目に従って進行させるための指示を入力して前記通信ネットワークを介して送信する進行指示入力手段と、前記通信ネットワークを介して送信されてきた進行指示に対応する試験項目に基づくデータを前記試験対象系統機器のプラントデータに基づいて計測し、この計測データを判定することにより前記サーベイランス試験を実行し、前記計測データおよび判定結果を前記通信ネットワークを介して送信するサーベイランス試験実行手段と、前記試験対象系統に係わる試験手順データ、前記通信ネットワークを介して送信されてきた前記計測データおよび判定結果を表示する表示手段とを備え、
前記サーベイランス試験実行手段を前記複数の計算機における少なくとも１台の第１の計算機に搭載し、前記進行指示入力手段および前記表示手段を、前記複数の計算機における前記第１の計算機以外の少なくとも１台の第２の計算機に搭載し、
前記第２の計算機は少なくとも３台以上であり、これら３台以上の第２の計算機それぞれに前記進行指示入力手段および前記表示手段が搭載され、前記３台以上の第２の計算機における少なくとも１台の計算機は前記プラントの中央操作室（中操）用に割当てられ、残りの第２の計算機における少なくとも１台の計算機は前記プラント現場用に割当てられる一方、
前記試験手順データの複数の試験項目には、前記プラント運転員に前記試験対象系統機器の動作状態を確認させるための確認項目が含まれ、その確認項目には、確認場所として前記中操および前記プラント現場の何れか一方を表す確認場所情報が設定されているとともに、
前記各第２の計算機は、自計算機の進行指示入力手段からの試験進行指示の入力可否要求を前記通信ネットワークを介して前記第１の計算機に送信する入力可否要求送信手段を備えており、
前記第１の計算機は、前記複数の第２の計算機それぞれの操作モードを記憶可能な操作モード記憶手段と、前記各第２の計算機の進行指示入力手段から送信された入力可否要求に応じて操作モード記憶手段の記憶内容を参照し、その参照結果に基づいて、前記試験進行指示入力が可能で、かつ前記中操用に割当てられたことを表す中操モードを前記３台以上の第２の計算機における何れか１台に設定し、この設定された１台の第２の計算機（中操モード計算機）の操作モードを中操モードとして前記操作モード記憶手段に書き込む中操モード設定手段と、中操モードを前記通信ネットワークを介して前記中操モード計算機に対して通知する中操モード通知手段と、前記操作モード記憶手段の記憶内容参照結果に基づいて、前記試験進行指示入力が可能で、かつ前記プラント現場用に割当てられたことを表す現場モードを前記中操モード計算機以外の複数の第２の計算機における何れか１台に設定し、この設定された１台の第２の計算機（現場モード計算機）の操作モードを現場モードとして前記操作モード記憶手段に書き込む現場モード設定手段と、現場モードを前記通信ネットワークを介して前記現場モード計算機に対して通知する現場モード通知手段と、前記操作モード記憶手段の記憶内容参照結果に基づいて、前記試験進行指示入力が不可で前記表示処理専用であることを表す表示モードを前記中操モード計算機および現場モード計算機以外の第２の計算機に対して設定し、この設定された第２の計算機（表示モード計算機）の操作モードを表示モードとして前記操作モード記憶手段に書き込む表示モード設定手段と、表示モードを前記通信ネットワークを介して前記表示モード計算機に対して通知する表示モード通知手段とを備えており、
前記中操モード計算機は、通知された中操モードを記憶する中操モード記憶手段と、自計算機の進行指示入力手段における複数の操作部を介した中操側のプラント運転員からの進行指示入力を許可するとともに、前記操作要求送信手段から前記現場側確認項目に対応する操作部の操作要求が送信された際に、当該操作要求を無効にする手段とを備え、
前記現場モード計算機は、通知された現場モードを記憶する現場モード記憶手段と、自計算機の進行指示入力手段における前記現場確認項目に対応する操作部以外の複数の操作部を介した現場側のプラント運転員からの進行指示入力を無効にするととともに、前記操作要求送信手段から前記現場側確認項目に対応する操作部の操作要求が送信された際に、当該操作要求を有効にして前記表示態様変化手段に通知する手段とを備え、
前記表示モード計算機は、通知された表示モードを記憶する表示モード記憶手段と、記憶された表示モードに応じて自計算機の進行指示入力手段における前記複数の操作部を介した現場側のプラント運転員からの進行指示入力を無効とする手段とを備えたことを特徴とするサーベイランス試験装置。
【請求項４】
前記第１の計算機は、前記進行指示モード計算機が正常に動作しているか否かを判断する動作判断手段と、この動作判断手段により前記進行指示モード計算機が正常に動作していないと判断された際に、前記表示モード計算機の操作モードを前記進行指示モードに切替えるための要求を前記通信ネットワークを介して前記表示モード計算機に送信する切替要求送信手段とを備え、
前記表示モード計算機は、送信されてきた切替要求に応じて前記第２のモード記憶手段に記憶された表示モードを前記進行指示モードに書替える書替手段と、書替えられた進行指示モードに応じて自計算機の進行指示入力手段からの試験進行指示入力を許可する手段とを備えたことを特徴とする請求項２記載のサーベイランス試験装置。
【請求項５】
前記各第２の計算機は、前記中操モード、現場モードおよび表示モードの内の何れか１つの操作モードを選択する操作モード選択手段を備え、前記入力可否要求送信手段は、前記選択された操作モードに基づく入力可否要求を前記通信ネットワークを介して前記第１の計算機に送信する手段であることを特徴とする請求項３記載のサーベイランス試験装置。
【発明の詳細な説明】
【０００１】
【発明の属する技術分野】
本発明は、発電所等のプラントにおける系統・機器の健全性を確認するために定期的に当該系統・機器の動作確認用のサーベイランス試験を行なうサーベイランス試験装置に関する。
【０００２】
【従来の技術】
一般に、原子力発電所等のプラントを監視するプラント監視システムにおいては、プラントの安全性確保のためにプラント緊急時の対応を主目的とした機器・系統（緊急時対応機器・緊急時対応系統、以下、総称して緊急時対応設備機器ともいう）が多数導入されており、これら緊急時対応設備機器は、プラント通常運転時においては動作しないため、定期的に緊急時対応設備機器に係るプラントデータを計測し、その計測結果に基づいて緊急時対応設備機器の動作を確認する試験（サーベイランス試験）を行なうことにより、緊急時対応設備機器が緊急時に支障無く動作（機能）することを確認している。
【０００３】
上述した緊急時対応設備機器の動作確認試験（サーベイランス試験）を行なうために、その試験手順のガイド表示処理、複数の緊急時対応設備機器における試験対象となるプラント現場の系統・設備機器（以下、試験対象系統機器と呼ぶ）の動作速度等の各計測項目に係るデータ収集・計測処理および計測された結果の判定処理を行うサーベイランス試験装置が使用されている。
【０００４】
図４０は、従来のサーベイランス試験装置の概略構成を示すものである。
【０００５】
図４０に示すサーベイランス試験装置１００は、プラントの試験対象系統機器を含む各緊急時対応設備機器（緊急時対応系統・緊急時対応機器）を操作する機能を有する制御盤・操作パネル１０１を備えており、この制御盤・操作パネル１０１には、試験員（運転員）に対する試験手順のガイド表示用および試験結果表示用の表示装置１０２およびサーベイランス試験進行指示（指示コマンド）操作入力用のサーベイランス操作パネル１０３が一体化されている。
【０００６】
また、サーベイランス試験装置１００は、プラントの現場における試験対象系統機器（現場機器）１０４から図示しないセンサ等により検出された試験対象系統機器１０４の状態を表すデータ（本明細書ではプラントデータ、プラントセンサデータ等と記載する）Ｄを入力し、入力したプラントデータＤに基づいてサーベイランス試験を実行するためのプラント計算機１０５を備えており、サーベイランス試験装置１００は、制御盤・操作パネル１０１およびプラント計算機１０５とを備えた集中型計算機システムとして構築されている。
【０００７】
図４１は、従来のサーベイランス試験装置１００の機器配置イメージ（外観イメージ）を示すものである。図４１に示すように、サーベイランス試験装置１００の制御盤・操作パネル１０１は、立位姿勢の運転員が確認・操作可能な卓型である。すなわち、制御盤・操作パネル１０１は、立位姿勢の運転員が確認できる高さに配置され、サーベイランス試験対象となる緊急時対応系統の緊急時対応機器の動作状況を確認するための表示機器（例えばランプ）が例えば各系統毎に配設された表示エリア１０７と、緊急時対応機器を操作して実際に動作させるための制御操作デバイス（制御操作スイッチ（ＳＷ）等）が対応する表示機器の設置位置に応じて配設された操作パネル１０８とを備えている。
【０００８】
ここで、サーベイランス試験対象となるプラントを原子力プラント等の発電プラントとした場合、その発電プラントの緊急時対応系統は２０系統以上にもなり、全ての緊急時対応系統の全ての緊急時対応機器を集中制御・操作する卓型制御盤・操作パネル１０１の長手方向の長さ（表示エリア１０７・操作パネル１０８の長手方向の長さ）は約８ｍと非常に大きなものとなっている。
【０００９】
サーベイランス操作パネル１０３は、運転員の操作に応じてサーベイランス試験進行指示（指示コマンド）を入力する機能およびプラント計算機１０５の後述する試験進行制御部１１２からの指示に基づいて運転員に対して操作指示を促すための情報を、表示機器（例えばランプ）を介して表示する機能を有している。
【００１０】
また、サーベイランス操作パネル１０３は、図４１に示すように、操作パネル１０８における所定位置に組み込まれて一体化されており、また、表示装置１０２は、制御盤・操作パネル１０１の表示エリア１０７の所定位置に組み込まれて一体化されている。
【００１１】
そして、プラント計算機１０５は、複数のサーベイランス試験手順を例えば試験手順ファイルとして記憶する試験手順データ記憶部１１１と、サーベイランス試験実行機能を有する試験進行制御部１１２と、試験対象系統機器１０４から送られたプラントデータＤを入力するプラントデータ入力部１１３と、サーベイランス操作パネル１０３および試験進行制御部１１２との間のパネル入出力に関するインタフェース機能を有するパネル入出力部１１４とを備えている。
【００１２】
試験進行制御部１１２は、サーベイランス操作パネル１０３から運転員の操作によりパネル入出力部１１４を介して入力されたサーベイランス試験進行指令に従って、上記サーベイランス試験進行指令に対応する試験手順情報（試験手順データ）を試験手順データ記憶部１１１から読み出し、読み出した試験手順データの各計測・判定項目の計測・判定処理（測定・判定処理、以下、総称して単に計測処理ともいう）を、運転員の操作パネル１０８操作による試験対象系統機器１０４の動作および対応する試験対象系統機器１０４のプラントデータＤに基づいて実行することにより、試験対象系統機器１０４の動作状態（状態量等）を計測する。
【００１３】
そして、試験進行制御部１１２は、試験手順データに基づく試験対象系統機器１０４の動作状態等が計測されると、制御盤・操作パネル１０１の表示エリア１０７における対応する試験対象系統機器１０４の動作状態表示用ランプを表示させて、試験対象系統機器１０４の動作状態を運転員に対して出力するとともに、パネル入出力部１１４を介してサーベイランス操作パネル１０３に設置された試験進行催促用のランプを表示させて、運転員に対して次の試験進行指示を促す。そして、試験進行制御部１１２は、試験手順データおよびこの試験手順データに基づく試験対象系統機器１０４の計測結果（計測値等）を表示装置１０２へ出力し、表示装置１０２を介して運転員に対して表示する。
【００１４】
このように、試験進行制御部１１２は、運転員のサーベイランス試験進行指示に合わせて、対応する試験手順データおよび計測結果を表示装置１０２を介して外部（運転員）に対して表示出力するようになっており、定期的に実施されるサーベイランス試験業務を容易にし、運転員の負荷軽減に寄与している。
【００１５】
【発明が解決しようとする課題】
上述したように、従来のサーベイランス試験装置では、煩雑な試験手順のガイド表示および試験手順中の各計測・判定項目の計測値・判定結果を試験進行に合わせて表示出力することにより、サーベイランス試験の合理化を実現している。
【００１６】
しかしながら、サーベイランス試験は、試験対象系統機器１０４を予め定められた試験手順に基づき動作させ、その動作結果が正しいか否かを判定するものであり、運転員は、制御盤・操作パネル１０１の操作パネル１０８を操作して試験対象系統機器１０４を動作させ、かつ試験対象系統機器１０４の動作状況を確認するために、表示エリア１０７の動作状態表示用のランプを視認する必要がある。
【００１７】
すなわち、運転員は、サーベイランス試験実施時においては、上述した操作パネル１０８を介した試験対象系統機器１０４の制御操作および表示エリア１０７の動作状態表示用ランプの確認作業に加えて、表示装置１０２に表示された試験手順の表示内容の確認作業およびサーベイランス操作パネル１０３を介した試験進行指示入力作業を略同時に実行する必要があり、実施する試験対象系統によっては（例えば、表示エリア１０７における長手方向端部に動作表示用ランプが設置された試験対象系統・機器や、操作パネル１０８における長手方向端部に制御操作デバイスが設置された試験対象系統・機器等）、制御盤・操作パネル１０１の試験対象系統・機器１０４に対応する制御操作デバイスおよび動作表示用ランプとサーベイランス操作パネル１０３および表示装置１０２とが離れることがあり、このような状態において、制御操作デバイス操作処理、動作表示用ランプ確認処理、サーベイランス試験進行指令入力処理および試験手順表示内容確認処理を略同時に行なうことは極めて難しく、サーベイランス試験装置１００の操作性および試験効率を悪化させていた。
【００１８】
また、制御盤・操作パネル１０１の試験対象系統・機器に対応する制御操作デバイスおよび動作表示用ランプとサーベイランス操作パネル１０３および表示装置１０２とが離れた状態においては、動作表示用ランプおよび表示装置１０２に表示された試験手順内容を略同時にそれぞれ正確に視認することが難しかった。
【００１９】
さらに、上述した制御盤・操作パネル１０１の試験対象系統・機器１０４に対応する制御操作デバイスおよび動作表示用ランプとサーベイランス操作パネル１０３および表示装置１０２とが離れた状態においては、運転員は、試験対象系統・機器１０４に対応する制御操作デバイスおよび動作表示用ランプ設置位置とサーベイランス操作パネル１０３および表示装置１０２の設置位置との間を頻繁に移動して上記操作処理・視認処理を行なわなければならず、運転員に対して過度な負担を強いることになっていた。
【００２０】
また、従来よりサーベイランス試験においては、原子力発電所等のプラント毎の試験対象系統・機器構成に基づいた詳細な操作手順（制御操作ＳＷ等の制御操作デバイスの制御盤・操作パネル１０１上の位置や名称、操作時に予想される挙動変化や注意事項等）が記載された定例試験手順書が予め作成されている。
【００２１】
そして、この詳細な試験手順書に基づき、計算機による自動確認項目や運転員による確認項目等を選択した上で、運転員の視認性、操作性を考慮し、試験実施上必要な手順情報に簡素化してサーベイランス試験ガイド用の試験手順データが作成されている。したがって、通常時においては、サーベイランス試験装置１００の試験手順データ記憶部１１１に記憶された試験手順データに沿ってサーベイランス試験を実施しているが、制御盤・操作パネル１０１上の動作表示用ランプの場所・制御操作デバイスの場所が不明な場合や、作成された試験手順以外の何らかの条件が発生した場合等には、運転員は、上記定例試験手順書を参照しながらサーベイランス試験を実施するしかなく、サーベイランス試験作業の効率を悪化させ、かつ運転員の負担を増大させていた。
【００２２】
さらに、従来のサーベイランス試験装置１００では、試験手順は複数のまとまりに分割され、その分割された各まとまりはステップと呼ばれている。そして、サーベイランス試験装置１００においては、ステップ単位の試験進行方式でサーベイランス試験が実施されている。
【００２３】
このとき、従来では、通常、試験手順の前後関係等を認識できるようにするため、視認性を確保可能な範囲内において多くの手順情報（数ステップ分）を表示しながらサーベイランス試験が実施されている。
【００２４】
しかしながら、従来のサーベイランス試験では、運転員は、制御盤・操作パネル１０１近傍において立位姿勢で上記複数ステップの試験手順確認処理を行なうとともに、制御盤・操作パネル１０１の制御操作機器の操作処理、動作表示用ランプの確認処理を行なっているため、各ステップにおける各試験手順を正確に視認することが難しく、より一層の試験手順表示情報の視認性向上が望まれていた。
【００２５】
また、サーベイランス試験は、制御盤・操作パネル１０１における試験対象系統・機器１０４の操作処理および動作状況確認処理とプラント計算機１０５に対するサーベイランス試験進行指示操作処理とを並行して実行する必要がある。
【００２６】
しかしながら、上述したように、制御盤・操作パネル１０１の試験対象系統・機器１０４に対応する制御操作デバイスおよび動作表示用ランプとサーベイランス操作パネル１０３および表示装置１０２とが離れている場合では、試験対象系統・機器１０４の操作処理および動作状況確認処理とサーベイランス試験進行指示操作処理とを並行して行なうことが難しく、サーベイランス試験装置１００の操作性向上が望まれていた。
【００２７】
さらに、サーベイランス試験の確認項目の中には、プラント計算機１０５に対する入力の無い（プラントデータが入力されない）機器の状態確認項目、現場装置の表示ランプ切れや外観上の確認項目、および異常状態（異音、異臭、振動、漏水等）の確認項目等も存在し、全ての確認項目をプラント計算機１０５による確認処理で行なうことはできないため、プラント監視システムの中央制御操作室（以下、中操と略記する）の運転員（特に、この中央制御操作室で制御操作を行なう運転員を中操側運転員と呼ぶ）やプラント現場側の運転員により上記計算機確認不可の確認項目の確認処理を行なっている。
【００２８】
このとき、プラント現場側での確認項目の場合には、現場側の運転員による確認結果をページング（有線通話装置）等により音声で中操側運転員に連絡し、中操側運転員がサーベイランス試験装置１００に対して試験進行指示（運転員確認通知）を連絡する操作を行っている。
【００２９】
しかしながら、上述したようにプラント現場側確認項目の確認結果をページング等の音声通話により中操側運転員を媒介としてサーベイランス試験装置１００に伝達しているため、プラント現場側の運転員と中操側運転員との間の音声通話において聞き違え等の伝達ミスが生じる恐れがあり、プラント現場確認情報の信頼性を低下させる危険性が生じていた。
【００３０】
本発明は、上述した事情に鑑みてなされたもので、サーベイランス試験を実施する際の試験手順表示情報の視認性の向上、操作性の向上およびサーベイランス試験効率の向上を実現できるサーベイランス試験装置を提供するものである。
【００３１】
すなわち、本発明の第１の目的は、サーベイランス試験実施時において、試験対象系統・機器に対応する制御操作デバイス操作処理、動作表示用ランプ確認処理、サーベイランス試験進行指示入力処理および試験手順表示内容確認処理を同時かつ正確に、そして、運転員の負担を大幅に低減しながら行なうことができるサーベイランス試験装置を提供することである。
【００３２】
本発明の第２の目的は、サーベイランス試験の詳細な試験手順情報を保存しておくことにより、サーベイランス試験実施中（進行中）において、運転員の要求に応じて試験詳細手順情報を表示出力することを可能にして、サーベイランス試験作業効率を向上させ、かつ運転員の負担を低減させることができるサーベイランス試験装置を提供することにある。
【００３３】
本発明の第３の目的は、サーベイランス試験実施中において、各ステップのサーベイランス試験手順の視認性を向上させることができるサーベイランス試験装置を提供することにある。
【００３４】
本発明の第４の目的は、通常のサーベイランス試験進行上において、試験対象系統・機器の操作処理および動作状況確認処理とサーベイランス試験進行指示操作処理とを簡単に並行して行なうことができ、サーベイランス試験に係る操作性を向上させることができるサーベイランス試験装置を提供することにある。
【００３５】
本発明の第５の目的は、プラント現場側確認項目の確認結果をサーベイランス試験装置に対して直接供給することを可能にして、伝達ミスを起こすことなくプラント現場確認情報の信頼性を向上させることができるサーベイランス試験装置を提供することにある。
【００３６】
【課題を解決するための手段】
上記目的を達成するため、請求項１に記載の発明によれば、通信ネットワークを介して互いに通信可能な複数の計算機を有しており、プラントの試験対象系統を構成する試験対象系統機器を操作して得られた当該試験対象系統機器の状態を表すプラントデータに基づいて前記試験対象系統機器の動作確認用サーベイランス試験を行なうサーベイランス試験装置において、複数のサーベイランス試験項目が順番に配列された試験手順データを記憶する試験手順データ記憶手段と、前記試験対象系統機器の動作確認用サーベイランス試験を前記試験対象系統に係わる試験手順データの試験項目に従って進行させるための指示を入力して前記通信ネットワークを介して送信する進行指示入力手段と、前記通信ネットワークを介して送信されてきた進行指示に対応する試験項目に基づくデータを前記試験対象系統機器のプラントデータに基づいて計測し、この計測データを判定することにより前記サーベイランス試験を実行し、前記計測データおよび判定結果を前記通信ネットワークを介して送信するサーベイランス試験実行手段と、前記試験対象系統に係わる試験手順データ、前記通信ネットワークを介して送信されてきた前記計測データおよび判定結果を表示する表示手段とを備え、前記サーベイランス試験実行手段を前記複数の計算機における少なくとも１台の第１の計算機に搭載し、前記進行指示入力手段および前記表示手段を、前記複数の計算機における前記第１の計算機以外の少なくとも１台の第２の計算機に搭載する構成を有し、前記進行指示入力手段は、前記サーベイランス試験実行中の試験項目の詳細手順の表示要求を入力する手段と、入力された実行中試験項目の詳細手順表示要求を前記通信ネットワークを介して前記第１の計算機に送信する手段とを備えており、前記第１の計算機は、前記試験手順データの各試験項目毎に、その各試験項目の詳細な試験手順を表すデータを記憶する試験詳細手順データ記憶手段と、前記進行指示入力手段から送信された詳細手順表示要求に対応する試験詳細手順データを前記試験詳細手順データ記憶手段から読み出し、表示用の試験詳細手順データに編集して前記通信ネットワークを介して前記第２の計算機に送信する手段とを備えるとともに、前記第２の計算機は、送信されてきた前記詳細手順表示要求に対応する表示用試験詳細手順データを表示する試験詳細手順データ表示手段を備えている。
【００４６】
請求項２記載の発明によれば、通信ネットワークを介して互いに通信可能な複数の計算機を有しており、プラントの試験対象系統を構成する試験対象系統機器を操作して得られた当該試験対象系統機器の状態を表すプラントデータに基づいて前記試験対象系統機器の動作確認用サーベイランス試験を行なうサーベイランス試験装置において、複数のサーベイランス試験項目が順番に配列された試験手順データを記憶する試験手順データ記憶手段と、前記試験対象系統機器の動作確認用サーベイランス試験を前記試験対象系統に係わる試験手順データの試験項目に従って進行させるための指示を入力して前記通信ネットワークを介して送信する進行指示入力手段と、前記通信ネットワークを介して送信されてきた進行指示に対応する試験項目に基づくデータを前記試験対象系統機器のプラントデータに基づいて計測し、この計測データを判定することにより前記サーベイランス試験を実行し、前記計測データおよび判定結果を前記通信ネットワークを介して送信するサーベイランス試験実行手段と、前記試験対象系統に係わる試験手順データ、前記通信ネットワークを介して送信されてきた前記計測データおよび判定結果を表示する表示手段とを備え、前記サーベイランス試験実行手段を前記複数の計算機における少なくとも１台の第１の計算機に搭載し、前記進行指示入力手段および前記表示手段を、前記複数の計算機における前記第１の計算機以外の少なくとも１台の第２の計算機に搭載している。前記第２の計算機は複数台であり、これら複数台の第２の計算機それぞれに前記進行指示入力手段および前記表示手段が搭載されているとともに、各第２の計算機は、自計算機の進行指示入力手段により試験進行指示の入力可否要求を前記通信ネットワークを介して前記第１の計算機に送信する入力可否要求送信手段を備えており、前記第１の計算機は、前記複数の第２の計算機それぞれの操作モードを記憶可能な操作モード記憶手段と、前記各第２の計算機の進行指示入力手段から送信された入力可否要求に応じて操作モード記憶手段の記憶内容を参照し、その参照結果に基づいて、前記試験進行指示入力が可能な進行指示モードを前記複数台の第２の計算機における何れか１台に設定し、この設定された１台の第２の計算機（進行指示モード計算機）の操作モードを進行指示モードとして前記操作モード記憶手段に書き込む進行指示モード設定手段と、進行指示モードを前記通信ネットワークを介して前記進行指示モード計算機に通知する第１のモード通知手段と、前記操作モード記憶手段の記憶内容参照結果に基づいて、前記進行指示計算機以外の第２の計算機の操作モードを、前記試験進行指示入力が不可で前記表示処理専用であることを表す表示モードとして前記操作モード記憶手段に書き込む表示モード設定手段と、表示モードを前記通信ネットワークを介して前記表示モードに設定された第２の計算機（表示モード計算機）に対して通知する第２のモード通知手段とを備えており、前記進行指示モード計算機は、通知された進行指示モードを記憶する第１のモード記憶手段と、記憶された進行指示モードに応じて自計算機の進行指示入力手段からの試験進行指示入力を許可する手段とを備え、前記表示モード計算機は、通知された表示モードを記憶する第２のモード記憶手段と、記憶された表示モードに応じて自計算機の進行指示入力手段からの試験進行指示入力を無効にする手段とを備えている。
【００４７】
請求項３記載の発明によれば、通信ネットワークを介して互いに通信可能な複数の計算機を有しており、プラントの試験対象系統を構成する試験対象系統機器を操作して得られた当該試験対象系統機器の状態を表すプラントデータに基づいて前記試験対象系統機器の動作確認用サーベイランス試験を行なうサーベイランス試験装置において、複数のサーベイランス試験項目が順番に配列された試験手順データを記憶する試験手順データ記憶手段と、前記試験対象系統機器の動作確認用サーベイランス試験を前記試験対象系統に係わる試験手順データの試験項目に従って進行させるための指示を入力して前記通信ネットワークを介して送信する進行指示入力手段と、前記通信ネットワークを介して送信されてきた進行指示に対応する試験項目に基づくデータを前記試験対象系統機器のプラントデータに基づいて計測し、この計測データを判定することにより前記サーベイランス試験を実行し、前記計測データおよび判定結果を前記通信ネットワークを介して送信するサーベイランス試験実行手段と、前記試験対象系統に係わる試験手順データ、前記通信ネットワークを介して送信されてきた前記計測データおよび判定結果を表示する表示手段とを備え、前記サーベイランス試験実行手段を前記複数の計算機における少なくとも１台の第１の計算機に搭載し、前記進行指示入力手段および前記表示手段を、前記複数の計算機における前記第１の計算機以外の少なくとも１台の第２の計算機に搭載している。前記第２の計算機は少なくとも３台以上であり、これら３台以上の第２の計算機それぞれに前記進行指示入力手段および前記表示手段が搭載され、前記３台以上の第２の計算機における少なくとも１台の計算機は前記プラントの中央操作室（中操）用に割当てられ、残りの第２の計算機における少なくとも１台の計算機は前記プラント現場用に割当てられる一方、前記試験手順データの複数の試験項目には、前記プラント運転員に前記試験対象系統機器の動作状態を確認させるための確認項目が含まれ、その確認項目には、確認場所として前記中操および前記プラント現場の何れか一方を表す確認場所情報が設定されているとともに、前記各第２の計算機は、自計算機の進行指示入力手段からの試験進行指示の入力可否要求を前記通信ネットワークを介して前記第１の計算機に送信する入力可否要求送信手段を備えており、前記第１の計算機は、前記複数の第２の計算機それぞれの操作モードを記憶可能な操作モード記憶手段と、前記各第２の計算機の進行指示入力手段から送信された入力可否要求に応じて操作モード記憶手段の記憶内容を参照し、その参照結果に基づいて、前記試験進行指示入力が可能で、かつ前記中操用に割当てられたことを表す中操モードを前記３台以上の第２の計算機における何れか１台に設定し、この設定された１台の第２の計算機（中操モード計算機）の操作モードを中操モードとして前記操作モード記憶手段に書き込む中操モード設定手段と、中操モードを前記通信ネットワークを介して前記中操モード計算機に対して通知する中操モード通知手段と、前記操作モード記憶手段の記憶内容参照結果に基づいて、前記試験進行指示入力が可能で、かつ前記プラント現場用に割当てられたことを表す現場モードを前記中操モード計算機以外の複数の第２の計算機における何れか１台に設定し、この設定された１台の第２の計算機（現場モード計算機）の操作モードを現場モードとして前記操作モード記憶手段に書き込む現場モード設定手段と、現場モードを前記通信ネットワークを介して前記現場モード計算機に対して通知する現場モード通知手段と、前記操作モード記憶手段の記憶内容参照結果に基づいて、前記試験進行指示入力が不可で前記表示処理専用であることを表す表示モードを前記中操モード計算機および現場モード計算機以外の第２の計算機に対して設定し、この設定された第２の計算機（表示モード計算機）の操作モードを表示モードとして前記操作モード記憶手段に書き込む表示モード設定手段と、表示モードを前記通信ネットワークを介して前記表示モード計算機に対して通知する表示モード通知手段とを備えており、前記中操モード計算機は、通知された中操モードを記憶する中操モード記憶手段と、自計算機の進行指示入力手段における複数の操作部を介した中操側のプラント運転員からの進行指示入力を許可するとともに、前記操作要求送信手段から前記現場側確認項目に対応する操作部の操作要求が送信された際に、当該操作要求を無効にする手段とを備え、前記現場モード計算機は、通知された現場モードを記憶する現場モード記憶手段と、自計算機の進行指示入力手段における前記現場確認項目に対応する操作部以外の複数の操作部を介した現場側のプラント運転員からの進行指示入力を無効にするととともに、前記操作要求送信手段から前記現場側確認項目に対応する操作部の操作要求が送信された際に、当該操作要求を有効にして前記表示態様変化手段に通知する手段とを備え、前記表示モード計算機は、通知された表示モードを記憶する表示モード記憶手段と、記憶された表示モードに応じて自計算機の進行指示入力手段における前記複数の操作部を介した現場側のプラント運転員からの進行指示入力を無効とする手段とを備えている。
【００４８】
請求項４記載の発明によれば、前記第１の計算機は、前記進行指示モード計算機が正常に動作しているか否かを判断する動作判断手段と、この動作判断手段により前記進行指示モード計算機が正常に動作していないと判断された際に、前記表示モード計算機の操作モードを前記進行指示モードに切替えるための要求を前記通信ネットワークを介して前記表示モード計算機に送信する切替要求送信手段とを備え、前記表示モード計算機は、送信されてきた切替要求に応じて前記第２のモード記憶手段に記憶された表示モードを前記進行指示モードに書替える書替手段と、書替えられた進行指示モードに応じて自計算機の進行指示入力手段からの試験進行指示入力を許可する手段とを備えている。
【００４９】
請求項５記載の発明によれば、前記各第２の計算機は、前記中操モード、現場モードおよび表示モードの内の何れか１つの操作モードを選択する操作モード選択手段を備え、前記入力可否要求送信手段は、前記選択された操作モードに基づく入力可否要求を前記通信ネットワークを介して前記第１の計算機に送信する手段である。
【００５１】
請求項１〜５に記載された発明によれば、例えば可搬型の第２の計算機に搭載された進行指示入力手段から入力された試験進行指示は、通信ネットワークを介して第１の計算機に送られる。第１の計算機に搭載されたサーベイランス試験実行手段により、送信された進行指示に対応する試験項目に基づくデータが計測され、計測データが判定されることによりサーベイランス試験が実行される。そして、得られた計測データおよび判定結果は、通信ネットワークを介して第２の計算機に送信される。
【００５２】
このとき、第２の計算機の表示手段により、試験対象系統に係わる試験手順データ、送信されてきた計測データおよび判定結果が表示される。
【００５３】
すなわち、請求項１〜５に記載された発明によれば、サーベイランス試験装置を、有線や無線の通信ネットワークを介して互いに通信可能な複数の第１および第２の計算機を用いて構築し、上記サーベイランス試験装置に含まれる複数の機能において、サーベイランス試験の進行指示を入力して送信する機能、および試験手順データ、計測データおよび判定結果を表示する機能を、前記進行指示に基づいてサーベイランス試験を実行してその結果（計測データおよび判定結果）を送信する機能（サーベイランス試験実行機能）から分離して、当該サーベイランス試験実行機能を搭載する第１の計算機とは別個の第２の計算機に搭載することができる。
【００５４】
したがって、第２の計算機を可搬型にすることが可能であり、サーベイランス試験時において、試験対象系統機器を操作して動作させる操作パネルにおける対応する機器操作部の近傍へ第２の計算機を配置することができる。
【００５５】
【発明の実施の形態】
以下に、本発明の実施形態について図面を参照して具体的に説明する。
【００５６】
なお、各実施形態において、従来例で説明したサーベイランス試験装置１００の構成要素と共通する部分については、同一符号を付してその説明を省略または簡略化する。
【００５７】
（第１の実施の形態）
図１は、本発明の第１の実施の形態に係るサーベイランス試験装置の機能ブロック構成を概略的に示す図であり、図２は、図１に示すサーベイランス試験装置のハードウエア構成および各ハードウエア構成要素の接続関係を示す図である。
【００５８】
図１および図２に示すように、サーベイランス試験装置１は、プラントＰを監視するプラント監視システムの一部として構成されており、プラントＰの試験対象系統機器を含む現場機器（試験対象系統・機器）１０４を操作する機能を有する制御盤・操作パネル２と、この制御盤・操作パネル２からハードウエア的に分離独立された可搬型計算機システム（可搬型端末；例えばモバイル用のノートパソコン等）として構成されており、運転員（プラント現場側の運転員）に対する試験手順のガイド表示機能、試験結果表示機能および運転員の操作に基づくサーベイランス試験進行指示（指示コマンド；以下、単に指示ともいう）入力機能をそれぞれ有する試験手順表示装置（クライアント）３と、試験対象系統機器（現場機器）１０４からのプラントデータ入力機能およびサーベイランス試験実行機能を有し、試験手順表示装置３から入力されたサーベイランス試験進行指令（クライアントからの要求）に応じてサーベイランス試験を実行し、かつその試験進行を制御する計算機システム（サーベイランスサーバ）４とを備えている。
【００５９】
そして、サーベイランス試験装置１は、分散配置された試験手順表示装置３およびサーベイランスサーバ４を、有線ＬＡＮあるいは無線ＬＡＮ等の通信ネットワーク５を介して互いに通信可能に接続することにより、分散型計算機システム（分散ネットワークシステム）として構築されている。
【００６０】
なお、通信ネットワーク５を介した分散ネットワーク環境においては、試験手順表示装置３およびサーベイランスサーバ４は、それぞれ互いに識別可能なネットワークアドレスを有しており、各試験手順表示装置３およびサーベイランスサーバ４は、送信先のネットワークアドレスを指定して、対応する送信先の装置へ情報を送信可能になっている。
【００６１】
図３は、本実施形態のサーベイランス試験装置１の機器配置イメージ（外観イメージ）を示すものである。図３に示すように、サーベイランス試験装置１の制御盤・操作パネル２は、プラントＰを集中監視するためのプラントの中央操作室（中操）に設置されており、前掲図４１に示す制御盤・操作パネル１０１と同様に長手方向の長さが約８ｍの卓型構成を有している。
【００６２】
すなわち、制御盤・操作パネル２は、緊急時対応機器の動作状況を運転員が立位姿勢で確認できる例えば動作状況表示ランプが例えば各系統毎に配設された表示エリア２ａと、緊急時対応機器動作用の制御操作デバイスである例えば制御操作ＳＷが対応する動作状況表示ランプの設置位置に応じて配設された操作パネル２ｂとを備えている。
【００６３】
このとき、本実施形態の試験手順表示装置３は可搬型であるため、運転員は、例えば手に持って試験手順表示装置３を持ち運ぶことにより、図３に示すように、中操内の任意の位置、すなわち制御盤・操作パネル２における任意の制御操作ＳＷおよび動作表示用ランプの近傍に上記試験手順表示装置３を配置させることができる。
【００６４】
試験手順表示装置（計算機システム）３は、ＣＰＵ等の演算処理回路を有し、試験手順ガイド表示処理、試験結果表示処理およびサーベイランス試験進行指令送信処理等を実行するコンソール制御部１０と、このコンソール制御部１０およびサーベイランスサーバ４の後述するサーバデータ通信部間のデータ送受信（通信）に関するインタフェース処理を行なう通信インタフェースを含むデータ通信部１１と、コンソール制御部１０の演算制御処理実行用のプログラムおよび予め画面レイアウトが設定された試験手順ガイド表示用画面ファイルＩＦを記憶し、かつコンソール制御部１０の演算結果等を記憶可能な記憶部（メモリ）１２と、サーベイランス試験手順、サーベイランス試験結果等の情報を表示出力するための表示デバイスとしての表示部１３と、例えば表示部１３の表示画面に形成された後述する試験進行指示に係わる各種ＰＢ、およびこれら各種ＰＢを運転員の操作により押圧（クリック）するための例えばキーボード、ポインティングデバイス（マウス・トラックボール等）の入力装置を含む試験進行指示入力用の試験進行指示部１４とを備えている。
【００６５】
表示部１３および試験進行指示部１４を含む試験手順表示装置３は、試験進行制御機能を有するサーベイランスサーバ４に対するコンソールを構成しており、制御部（コンソール制御部）１０は、表示部１３および試験進行指示部１４と協調してＧＵＩ機能を実行可能になっている。
【００６６】
すなわち、コンソール制御部１０は、表示部１３および試験進行指示部１４と協調したＧＵＩ処理により、サーベイランス試験開始に応じて上記試験ガイド表示用画面ファイルＩＦに基づいて、所定の画面表示エリアから構成された試験ガイド表示画面Ｉを表示部１３に表示し、サーベイランスサーバ４からデータ通信部１１を介して送信された試験手順データ、計測結果データおよび判定結果データ等を試験ガイド表示画面Ｉにおける対応する表示エリアに更新表示するようになっている。
【００６７】
また、サーベイランスサーバ４は、例えば外部機器インタフェース、Ａ／Ｄ変換器およびデータ記憶バッファ等をそれぞれ有しており、プラントＰ内の弁やポンプ等の現場機器（系統機器）１０４に取り付けられたセンサＳにより検出された現場機器１０４の動作状態を表すプラントデータを高速周期で入力し、ディジタル型のプラントデータＤとして記録するプラントデータ入力部２０と、複数の試験手順データを記憶する例えばデータベース等の試験手順データ記憶部２１と、ＣＰＵ等の演算処理回路およびプログラム・データ記憶用のメモリを有し、プラントデータ入力部２０に保持されたプラントデータを入力する処理、試験手順データ記憶部２１に記憶された試験手順データおよび入力されたプラントデータに基づくサーベイランス試験実行処理およびサーベイランス試験の進行を制御する処理を上記プログラムに従って行なう試験進行制御部２２と、試験手順表示装置３のデータ通信部１１およびサーベイランスサーバ４の試験進行制御部２２間のデータ送受信（通信）に関するインタフェース処理を行なうサーバデータ通信部２３とを備えている。
【００６８】
試験手順データ記憶部２１には、図４に示すように、複数の試験対象系統機器の試験手順をそれぞれ表す複数の試験手順データＤ１（試験番号１）〜ＤＮ（試験番号Ｎ）が統合化されて記憶されている。
【００６９】
各試験手順データＤ１〜ＤＮ（図４においては、試験手順データＤ１のデータ構造のみ示しているが、他のデータ構造も同様である）には、図４に示すように、対応する試験対象系統に対する複数の試験手順を表す情報（試験手順情報）がシーケンシャルに配列された状態で記憶されている。
【００７０】
複数の試験手順情報は、それぞれ試験項目（試験ステップ）としてステップ番号が割当てられ、その試験ステップ番号毎にシーケンシャルに配列されており、各試験手順情報｛第１試験手順情報（第１試験ステップ）、第２試験手順情報（第２試験ステップ）、・・・｝は、上記試験ステップ番号（ステップ：ｎｏ｛１｝等）、その試験ステップ番号の試験名（例えば、“弁開閉確認１等）および自試験ステップから他の試験ステップへ処理をスキップさせる際のスキップ先のステップ番号等を含むステップ情報（“、スキップ先ステップ＝｛６｝；｛｝内の数字がスキップ先のステップ番号を表し、空欄の場合にはスキップが不可能であることを表す）、および具体的な複数の試験手順（複数の試験サブステップ）を有している。
【００７１】
複数の試験サブステップは、それぞれサブステップ番号が割当てられており、そのサブステップ番号毎に、試験対象系統機器に対する試験内容（例えば、Ｆ００１  ＣＳＰ側吸込弁→全開）、試験種別を表す情報（例えば、注釈文（コメント）を表す“コメント”、実際の試験対象系統機器の動作状態計測動作を表す“計測”、運転員による試験対象系統機器の確認操作を表す“運転員確認”等）、対応する試験対象系統機器のＩＤ（例えば、装置＝“Ｆ００１）および試験種別が“計測”の際の計測結果判定基準を表す情報（例えば、全開であれば正常であることを表す“判定＝全開”等を有している。
【００７２】
また、図５は、表示部１３に表示された試験ガイド表示画面Ｉの画面レイアウトの一例を示す図である。図５に示す試験ガイド表示画面Ｉは２つの表示エリアＡ１、Ａ２に分割されており、画面向かって左側の表示エリアＡ１は、試験進行制御部２２による試験手順／結果表示エリアである。そして、この試験手順／結果表示エリアＡ１は、異なる３つの表示エリア、すなわち、試験手順を表示するための試験手順表示エリアＡ１ａ、計測データを表示するための計測データ表示エリアＡ１ｂおよび計測データの判定結果を表示するための判定結果表示エリアＡ１ｃにより構成されている。
【００７３】
一方、画面向かって右側の表示エリアＡ２は、運転員の操作により試験進行に必要な指示を入力する機能、および運転員に対して試験進行指示入力操作を要求する機能を有する複数のグラフィカルなＰＢ（プッシュボタン）が設定されたコンソール表示エリアである。
【００７４】
すなわち、コンソール表示エリアＡ２には、“試験開始”指示用の試験開始ＰＢ（ＰＢ１）と、“試験終了”指示用の試験終了ＰＢ（ＰＢ２）と、試験対象系統およびその系統に対する試験内容をそれぞれ選択できるウインドウ（系統・試験選択操作用ウインドウ）の表示指示用のＰＢ（“系統・試験選択”ＰＢ）（ＰＢ３）とがそれぞれ形成されている。
【００７５】
さらに、コンソール表示エリアＡ２には、試験進行を指示するための試験進行指示用ＰＢとして、現在の実行中の試験ステップを他の試験ステップにスキップさせる指示を行なうためのＰＢ（“スキップＰＢ”）（ＰＢ４）と、実行中の試験ステップをカウントダウン（実行中の試験ステップ番号が“Ｘ”なら、“Ｘ−１”の試験ステップに移行）させる指示を行なうためのＰＢ（“ステップ後進”ＰＢ）（ＰＢ５）と、実行中の試験ステップをカウントアップ（実行中の試験ステップ番号が“Ｘ”なら、“Ｘ＋１”の試験ステップに移行）させるためのＰＢ（“ステップ進行”ＰＢ）（ＰＢ６）と、運転員に対して確認動作を要求するためのＰＢ（“運転員確認”ＰＢ）（ＰＢ７）とがそれぞれ形成されている。
【００７６】
図６は、運転員が“系統・試験選択”ＰＢ３を操作（押圧）した際に、試験ガイド表示画面Ｉ上にオーバーラップ表示される系統・試験選択操作用ウインドウＷを示す図である。
【００７７】
図６によれば、系統・試験選択操作用ウインドウＷには、プラントＰに係わるサーベイランス試験対象となる全ての系統をスクロールにより表示可能であり、運転員の入力機器操作により所望の試験対象系統を選択可能な試験対象系統表示選択エリアＷＡ１と、この試験対象系統表示選択エリアＷＡ１により選択された試験対象系統毎に、その選択試験対象系統に係わる全てのサーベイランス試験を表示可能であり、運転員の入力機器操作により所望の試験（試験名称）を選択可能な試験表示選択エリアＷＡ２と、サーベイランス試験対象系統およびサーベイランス試験内容を、試験対象系統表示選択エリアＷＡ１および試験表示選択エリアＷＡ２でそれぞれ選択された試験対象系統および試験名称に確定するための選択確定ＰＢ（ＰＢ１０）と、この選択確定ＰＢ１０操作による選択確定状態をキャンセルするキャンセルＰＢ（ＰＢ１１）とがそれぞれ形成されている。
【００７８】
次に、本実施形態のサーベイランス試験装置１の全体動作について、特に、サーベイランスサーバ４内に存在し、サーベイランス試験装置１の中心的な役割を担う試験進行制御部２２の処理動作および関連する試験手順表示装置３の動作を中心に説明する。
【００７９】
本実施形態においては、サーベイランス試験装置１起動時（試験手順表示装置３およびサーベイランスサーバ４起動時）において、試験手順表示装置３の表示部１３には、コンソール制御部１０の処理により図５に示す試験ガイド表示画面Ｉが表示されている。
【００８０】
サーベイランス試験を実行する際に、運転員は、サーベイランス試験対象系統および試験内容を設定するため、試験進行指示部１４の入力装置を操作して試験ガイド表示画面Ｉ上のコンソール表示エリアＡ２における“系統・試験選択”ＰＢ３を押圧（クリック）する。コンソール制御部１０は、試験進行指示部１４の入力装置操作によりクリックされた“系統・試験選択”ＰＢ３に基づく要求に応じて、図６に示す系統・試験選択操作用ウインドウＷを表示部１３に表示する。
【００８１】
運転員は、試験進行指示部１４の入力装置を操作して、系統・試験選択操作用ウインドウＷ上の試験対象系統表示選択エリアＷＡ１および試験表示選択エリアＷＡ２から所望の試験対象系統｛例えば、ＸＸＸＸ（Ｘ２２）系統｝および試験名称（例えば、ＸＸＸＸ全開全閉試験）をそれぞれ選択・確定する。
【００８２】
そして、運転員は、選択確定された試験対象系統および試験名称に基づくサーベイランス試験を実行するために、試験進行指示部１４の入力装置を操作してコンソール表示エリアＡ２における“試験開始”ＰＢ１をクリックする。この“試験開始”ＰＢ１クリックに応じて、試験開始指令が上記試験対象系統および試験名称に対応する試験番号とともにコンソール制御部１０に送信される。
【００８３】
試験手順表示装置３のコンソール制御部１０は、送信されてきた試験開始指令および試験番号を受信する。そして、コンソール制御部１０は、受信した試験開始指令および試験番号に対応する試験対象系統名および試験名称を選択して表示部１３に通知することにより試験手順表示処理の開始指示を行なう。
【００８４】
上記試験手順表示処理の開始指示と同時に、コンソール制御部１０は、運転員に選択された試験対象系統および試験名称に対応する試験開始指令および試験番号をデータ通信部１１および通信ネットワーク５を介してサーベイランスサーバ４のサーバデータ通信部２３に送信する。サーベイランスサーバ４のサーバデータ通信部２３は、送信されてきた試験開始指令および試験番号を試験進行制御部２２に送信する。
【００８５】
このとき、運転員は、試験手順表示装置３を持ち運んで、制御盤・操作パネル２における自らが選択した試験対象系統に対応する動作状況表示ランプおよび制御操作ＳＷの近傍に設置する。
【００８６】
一方、試験進行制御部２２は、その試験進行制御部２２のメモリに記憶されたプログラムに従って、図７および図９〜図１１に示す処理を行なう。
【００８７】
すなわち、試験進行制御部２２は、初期処理として、送信された試験開始指令および試験番号に応じて、試験手順データ記憶部２１に記憶された複数の試験手順データの中から、対応する試験番号の試験手順データＤＫ（１≦Ｋ≦Ｎ）を読み出し（図７；ステップＳ１）、実行中の試験ステップ番号を表す変数（実行試験ステップ変数）を“０”に初期化し（実行試験ステップ変数＝０）（ステップＳ２）、読み出した試験手順データＤＫを編集して、試験ガイド表示画面Ｉの試験手順表示エリアＡ１ａに表示できる複数の試験ステップ［例えば、図５に示すように、ステップ番号１の試験ステップ｛以下、試験ステップ（１）とする｝〜ステップ番号５の試験ステップ（５）］から構成された試験手順表示データＤＫ１を作成する（ステップＳ３）。そして、試験進行制御部２２は、作成した試験手順表示データＤＫ１および運転員の試験進行操作を促すための“ステップ進行”ＰＢ６のフリッカ要求をサーバデータ通信部２３、通信ネットワーク５および試験手順表示装置３のデータ通信部１１を介してコンソール制御部１０に送信する（ステップＳ４）。
【００８８】
このとき、コンソール制御部１０は、記憶部１２に記憶されたプログラムに従って図８、図１２および図１３に示す処理を行なう。
【００８９】
すなわち、コンソール制御部１０は、試験手順表示データＤＫ１および“ステップ進行”ＰＢ６フリッカ要求が送信されてくると、試験手順表示データＤＫ１に基づく複数の試験手順を表示部１３の試験ガイド表示画面Ｉにおける試験手順表示エリアＡ１ａに表示する（図８；ステップＳ５１）。
【００９０】
次いで、コンソール制御部１０は、“ステップ進行”ＰＢ６フリッカ要求に応じてコンソール表示エリアＡ２の“ステップ進行”ＰＢ６をフリッカ表示させ（ステップＳ５２）、運転員から“ステップ進行”指示が行なわれたか否か判断し（ステップＳ５３）、運転員から“ステップ進行”指示が行なわれるまで上記判断を繰り返す（ステップＳ５３→ＮＯ（図中では“Ｎ”と略記する）。
【００９１】
このとき、運転員は、“ステップ進行”ＰＢ６のフリッカ表示を視認し、試験進行指示部１４を操作して、コンソール表示エリアＡ２における複数の試験進行ＰＢ（ＰＢ４〜ＰＢ７）の中から所望のＰＢをクリックする。今、実行試験ステップ変数＝０であるから、運転員は、試験手順データＤＫの最初の試験ステップ（試験ステップ（１））を実行させるために、コンソール表示エリアＡ２の“ステップ進行”ＰＢ６をクリックする。
【００９２】
何れかの試験進行ＰＢ４〜ＰＢ７のクリックにより送信されてきた試験進行指示がコンソール制御部１０に送信されてくると、ステップＳ５３の判断はＹＥＳ（図中では“Ｙ”と略記する）となり、コンソール制御部１０は、送信されてきた試験進行指示をデータ通信部１１、通信ネットワーク５およびサーバデータ通信部２３を介して試験進行制御部２２に送信する（ステップＳ５４）。
【００９３】
このとき、試験進行制御部２２は、コンソール制御部１０から試験進行指示が送信されてくるか否か判断しており（ステップＳ５）、試験手順表示装置３のコンソール制御部１０から試験進行指示が送信されてくるまで上記判断を繰り返す。なお、図中の“Ｔ／Ｄ”は、タイムディレイを表している。
【００９４】
上記コンソール制御部１０のステップＳ５４の処理によりコンソール制御部１０から試験進行指示が送信されてくると、ステップＳ５の判断はＹＥＳとなり、試験進行制御部２２は、送信されてきた試験進行指示の種別を判別する（ステップＳ６）。上述したように、運転員は“ステップ進行”ＰＢ６をクリックしているため、試験進行制御部２２は、送信されてきた試験進行指示を“ステップ進行”と判別し（ステップＳ６→“ステップ進行”）、試験進行制御部２２は、現在実行中の試験ステップが存在するか否か（すなわち、実行試験ステップ変数＞０か否か）を判断する（ステップＳ７）。
【００９５】
今、実行試験ステップ変数＝０であるため、ステップＳ７の判断はＮＯとなり、試験進行制御部２２は、実行試験ステップ変数を“１”インクリメントして、実行する試験ステップを試験ステップ（１）に設定し（「実行試験ステップ変数＝実行試験ステップ変数＋１」；ステップＳ８）、全試験ステップが完了したか否かを判断する（ステップＳ９）。
【００９６】
図５に示すように、試験手順データＤＫに含まれる試験ステップは少なくとも５以上であるから、ステップＳ９の判断の結果はＮＯとなり、試験進行制御部２２は、実行試験ステップ、すなわち試験ステップ（１）の試験手順が試験ガイド表示画面Ｉ上に表示されているか否か判断する（ステップＳ１０）。図５に示すように、試験ステップ（１）の試験手順は試験ガイド表示画面Ｉの試験手順表示エリア上に表示されているためステップＳ１０の判断はＹＥＳとなり、試験進行制御部２２は、試験ステップ（１）における実行中のサブステップ番号を表す実行サブステップ変数を“１”に設定し（ステップＳ１１）、実行サブステップ変数１に対応する試験サブステップ（第１サブステップ）の種別を判別する（図９；ステップＳ１２）。
【００９７】
図４に示すように、第１サブステップの種別は“コメント”であるため（ステップＳ１２→“コメント”）、試験進行制御部２２は、実行サブステップ変数を“１”カウントアップし（ステップＳ１３）、全試験サブステップが完了したか否かを判断する（ステップＳ１４）。
【００９８】
今、“１”カウントアップされたサブステップ変数は“２”であり、図４に示すように、試験ステップ（１）に含まれる試験サブステップは、第１サブステップ〜第４サブステップまで存在するため、ステップＳ１４の判断の結果はＮＯとなり、試験進行制御部２２は、ステップＳ１２の処理に戻り、以下、カウントアップされたサブステップ変数（２）に対応する試験サブステップ（第２サブステップ）の種別の判別処理を行なう。
【００９９】
図４に示すように、第２サブステップの種別は“計測”であるため（ステップＳ１２→“計測”）、試験進行制御部２２は、計測判定処理が完了したか否か判断する（ステップＳ１５）。
【０１００】
このとき、運転員は、試験手順表示装置３の試験手順表示エリアＡ１ａに表示された第２サブステップの装置情報（系統機器ＩＤ：Ｆ００１）および試験内容（Ｆ００１  ＣＳＰ側吸込弁→全開）に基づいて、操作パネル２における試験対象系統に対応する制御操作ＳＷを操作して、試験対象系統機器（Ｆ００１  ＣＳＰ側吸込弁）を動作させる。
【０１０１】
ステップＳ１５の判断の結果ＮＯ（計測判定が未完了）の場合、試験進行制御部２２は、上記運転員の制御操作ＳＷ操作に応じて動作した試験対象系統機器（Ｆ００１  ＣＳＰ側吸込弁）のプラントデータＤ（Ｆ００１）を入力し（ステップＳ１６）、入力したプラントデータＤ（Ｆ００１）に基づいて対応する系統機器（Ｆ００１  ＣＳＰ側吸込弁）の状態を計測する（ステップＳ１７）。
【０１０２】
次いで、試験進行制御部２２は、計測された系統機器（Ｆ００１  ＣＳＰ側吸込弁）の状態（計測データ値）が正常であるか否かを第２サブステップの判定情報（全開）に従って判定する（ステップＳ１８）。
【０１０３】
このとき、系統機器（Ｆ００１  ＣＳＰ側吸込弁）の計測データ値が正常（“ＯＫ”）であれば（ステップＳ１８→ＹＥＳ）、試験進行制御部２２は、計測判定処理の完了をサブステップ番号に対応付けて記憶し（ステップＳ１９）、計測値およびサブステップ判定結果を、サーバデータ通信部２３、通信ネットワーク５およびデータ通信部１１を介して周期的にコンソール制御部１０に送信して（ステップＳ２０）、ステップＳ１３の処理に移行する。
【０１０４】
一方、試験手順表示装置３のコンソール制御部１０は、送信されてきた計測データ値および判定結果を、試験ガイド表示画面Ｉの計測データ表示エリアＡ１ｂ上および判定結果表示エリアＡ１ｃ上において、対応する第２サブステップ手順と並ぶようにそれぞれ表示する（ステップＳ５５）。
【０１０５】
このようにして、試験進行制御部２２は、ステップＳ１３の処理においてカウントアップされた実行サブステップ変数が試験ステップ（１）の最終サブステップ番号に一致しない間、すなわち、全サブステップの処理が未完了の間、ステップＳ１２で判別されたサブステップの“種別”に基づく試験を実行する。
【０１０６】
例えば、試験ステップ（１）の第４サブステップの種別は“運転員確認”であるため（ステップＳ１２→“運転員確認”）、試験進行制御部２２は、運転員が確認処理を完了したか否か判断し（ステップＳ２１）、この判断の結果ＮＯ、すなわち、対応サブステップ（第４サブステップ）が運転員の確認処理が未完了であるサブステップである場合においては、運転員の操作を促すための“運転員確認”ＰＢ７のフリッカ要求、および運転員未確認を表す“！”マーク表示要求をサーバデータ通信部２３、通信ネットワーク５およびデータ通信部１１を介してコンソール制御部１０に送信する（ステップＳ２２）。
【０１０７】
試験手順表示装置３のコンソール制御部１０は、“運転員確認”ＰＢ７フリッカ要求および未確認“！”マーク表示要求が送信されてくると、その要求に応じてコンソール表示エリアＡ２の“運転員確認”ＰＢ７をフリッカ表示させるとともに、未確認“！”マークを、試験ガイド表示画面Ｉの計測データ表示エリアＡ１ｂ上における対応する第４サブステップ手順と並ぶ位置に表示する（ステップＳ５６）。
【０１０８】
そして、コンソール制御部１０は、運転員から“運転員確認”ＰＢ７が操作されたか否か判断し（ステップＳ５７）、運転員が“運転員確認”ＰＢ７を操作するまで上記判断を繰り返す（ステップＳ５７→ＮＯ）。
【０１０９】
このとき、運転員は、“運転員確認”ＰＢ７のフリッカ表示を視認し、対応する系統機器（Ｆ００３）の状態（全開か否か）を、操作パネル２における系統機器（Ｆ００３）の動作状態表示ランプ等に基づいて確認し、確認結果を含む確認通知を、試験進行指示部１４を操作してコンソール制御部１０に送る。
【０１１０】
試験進行指示部１４から確認通知が送られると、ステップＳ５７の判断はＹＥＳとなり、コンソール制御部１０は、確認通知を、データ通信部１１、通信ネットワーク５およびサーバデータ通信部２３を介して試験進行制御部２２に送信する（ステップＳ５８）。
【０１１１】
このとき、試験進行制御部２２は、ステップＳ２２の送信処理後、試験手順表示装置３から確認通知が送信されてきたか否か判断しており（ステップＳ２３）、この判断の結果未送信の場合には（ステップＳ２３→ＮＯ）、上記判断を繰り返し行なう。
【０１１２】
一方、コンソール制御部１０のステップＳ５８の処理により確認通知が送信されてくると（ステップＳ２３→ＹＥＳ）、試験進行制御部２２は、送信された確認通知に応じて、確認結果をサブステップ番号と対応付けて記憶し、上記計測データ表示エリアＡ１ｂにおける未確認“！”マークを、“運転員確認済み”の内容を表すマークに更新するための要求（判定結果表示更新要求）を、サーバデータ通信部２３、通信ネットワーク５およびデータ通信部１１を介してコンソール制御部１０に送信し（ステップＳ２４）、ステップＳ１３の処理に移行する。
【０１１３】
コンソール制御部１０は、送信されてきた判定結果表示更新要求に応じて、計測データ表示エリアＡ１ｂ上に表示された未確認“！”マークを、“運転員確認済み”を表すマークに更新表示する（ステップＳ５９）。
【０１１４】
上述した試験進行制御部２２の各サブステップに対する処理により、ステップＳ１３の処理においてカウントアップされた実行サブステップ変数が試験ステップ（１）の最終サブステップ番号に一致すると、全サブステップの処理が完了したことになり、試験進行制御部２２のステップＳ１４の処理はＹＥＳとなる。
【０１１５】
ステップＳ１４の判断がＹＥＳとなると、試験進行制御部２２は、記憶されたサブステップ番号に対応する判定結果・確認結果を参照して全サブステップに基づく試験結果（判定結果・確認結果）が正常であるか否かを判断し（ステップＳ２５）、この判断の結果、正常の場合には（ステップＳ２５→ＹＥＳ）、試験進行制御部２２は、実行試験ステップ（１）の試験が正常に終了したことを運転員に通知するための正常終了マーク（例えば“ＯＫ”）表示要求、および次の試験ステップへ進むことが可能であることを運転員へ促すための“ステップ進行”ＰＢ６フリッカ要求をサーバデータ通信部２３、通信ネットワーク５およびデータ通信部１１を介してコンソール制御部１０に送信し（ステップＳ２６）、ステップＳ５の処理に移行する。一方、ステップＳ２５の判断の結果、正常でない場合には（ステップＳ２５→ＮＯ）、試験進行制御部２２は、直接ステップＳ６の処理に移行する。
【０１１６】
一方、コンソール制御部１０は、ステップＳ２６の処理により送信されてきた正常終了マーク表示要求に応じて、正常終了マーク“ＯＫ”を、試験ガイド表示画面Ｉの判定結果表示エリアＡ１ｃ上において、対応する試験ステップ（１）の試験手順に並ぶように表示し（ステップＳ６０）、ステップＳ５２の“ステップ進行”ＰＢフリッカ表示処理に移行する。
【０１１７】
上述したコンソール制御部１０のステップＳ５２〜Ｓ５４の処理により、コンソール制御部１０から試験進行指示（例えば、その種別が“ステップ進行”の試験進行指示）が送信されてくると、試験進行制御部２２は、ステップＳ６の判別処理を介して（ステップＳ６→“ステップ進行”）、ステップＳ７の処理に移行する。
【０１１８】
今、現在の実行試験ステップ変数は“１”であるため、ステップＳ７の判断はＹＥＳとなり、試験進行制御部２２は、実行試験ステップ判定が確定しているか否か判断する（ステップＳ２７）。現実行試験ステップ（１）の判定は“ＯＫ”で確定しているためステップＳ２７の判断はＹＥＳとなり、試験進行制御部２２は、ステップＳ８で実行試験ステップ変数を“２”にインクリメントし、ステップＳ９〜ステップＳ１０の処理を経由して（ステップＳ９→ＮＯ、ステップＳ１０→ＹＥＳ）、上述した試験ステップ（２）の全ての試験サブステップの試験を実行する。
【０１１９】
このように、試験進行制御部２２は、現実行試験ステップ（全試験サブステップ）の試験を実行した後、“ステップ進行”ＰＢ６のフリッカ表示に応じて運転員から、種別が“ステップ進行”の試験進行指示が送信されてくると、この“ステップ進行”の試験進行指示に応じて実行試験ステップを“１”ずつインクリメントし、インクリメントされた実行試験ステップ（全試験サブステップ）に対応する試験を行なうようになっている。
【０１２０】
一方、例えばステップＳ２６の処理に基づいて“ステップ進行”ＰＢ６がフリッカ表示されている際に、運転員が、次に実行する試験ステップを、次の（＋１インクリメントした）試験ステップではなく、他の試験ステップへ移行させたいと考えた場合、運転員は、“ステップ進行”ＰＢ６ではなく、“スキップ”ＰＢ４をクリックする。
【０１２１】
コンソール制御部１０のステップＳ５２〜Ｓ５４の処理により、種別“スキップ”の試験進行指示が試験進行制御部２２に送信されてくると、ステップＳ６の処理は（ステップＳ６→“スキップ”）となり、試験進行制御部２２は、スキップ可能か否か、すなわち、現実行試験ステップ（例えば、試験ステップ（３））に対応する試験手順におけるスキップ情報として、スキップ先の試験ステップ番号が設定されているか否か判断する（ステップＳ２８）。
【０１２２】
現実行試験ステップが例えば試験ステップ（１）、（２）等であれば、図４に示すように、スキップ先の番号は設定されていないため、ステップＳ２８の判断はＮＯ（スキップ不可能）となり、試験進行制御部２２は、ステップＳ８に移行して、現実行試験ステップ変数を“１”インクリメントし、上述した“ステップ進行”と同様の処理を行なう。
【０１２３】
一方、現実行試験ステップが例えば試験ステップ（３）等であれば、図４に示すように、スキップ先の番号は｛６｝、すなわち試験ステップ番号６に設定されているため、ステップＳ２８の判断はＹＥＳ（スキップ可能）となり、試験進行制御部２２は、現実行試験ステップ変数を、スキップ先の試験ステップ番号（６）に設定して（「実行試験ステップ変数＝スキップ先ステップ番号」；ステップＳ２９）、ステップＳ１０の処理を経由して（ステップＳ１０→ＹＥＳ）ステップＳ１１の処理に移行し、スキップ先ステップ番号（６）に対応する試験ステップ（６）の試験サブステップの試験を実行する。
【０１２４】
また、例えばステップＳ２６の処理に基づいて“ステップ進行”ＰＢ６がフリッカ表示されている際に、運転員が、次に実行する試験ステップを、次の（＋１インクリメントした）試験ステップではなく、“１”デクリメントした試験ステップ、すなわち、前回の試験ステップへ移行させたいと考えた場合、運転員は、“ステップ進行”ＰＢ６ではなく、“ステップ後進”ＰＢ５をクリックする。
【０１２５】
このとき、コンソール制御部１０のステップＳ５２〜Ｓ５４の処理により、種別“ステップ後進”の試験進行指示が試験進行制御部２２に送信されてくると、ステップＳ６の処理は（ステップＳ６→“ステップ後進”）となり、試験進行制御部２２は、現実行試験ステップ変数（Ｍ）を“１”デクリメントして実行する試験ステップを試験ステップ（Ｍ−１）に設定し（「実行試験ステップ変数＝実行試験ステップ変数−１」；ステップＳ３０）、ステップＳ１０の処理を経由して（ステップＳ１０→ＹＥＳ）ステップＳ１１の処理に移行し、“１”デクリメントされたステップ番号（Ｍ−１）に対応する試験ステップ（Ｍ−１）の試験サブステップの試験を再度（繰り返し）実行する。
【０１２６】
さらに、上述したように試験ステップ番号毎に順次サーベイランス試験が実行されていき、上述したステップＳ８やステップＳ２９で新たに設定された実行試験ステップ（Ｘ）に対応する試験手順が、試験ガイド表示画面Ｉの試験手順表示エリアＡ１ａに表示された複数の試験手順の中に含まれない場合、すなわち、実行試験ステップの試験手順が試験ガイド表示画面Ｉの試験手順表示エリアＡ１ａに表示されていない場合には（ステップＳ１０→ＮＯ）、試験進行制御部２２は、新たに設定された実行試験ステップ（Ｘ）を含む、この新設定実行試験ステップ（Ｘ）以降の試験手順表示エリアＡ１ａに表示できる複数の実行試験ステップ｛実行試験ステップ（Ｘ）、実行試験ステップ（Ｘ＋１）、実行試験ステップ（Ｘ＋２）、・・・｝から構成された試験手順表示データＤＫ２を作成し（ステップＳ３１）、作成した試験手順表示データＤＫ２を含む試験手順要求をサーバデータ通信部２３、通信ネットワーク５および試験手順表示装置３のデータ通信部１１を介してコンソール制御部１０に送信し（ステップＳ３２）、ステップＳ１１の処理に移行する。
【０１２７】
コンソール制御部１０は、上記ステップＳ５１〜６０の処理と並列的に試験手順表示更新要求が送信されてきたか否か判断しており（ステップＳ６１）、試験手順表示更新要求が送信されてくると（ステップＳ６１→ＹＥＳ）、送信されてきた試験手順表示更新要求に含まれる試験手順表示データＤＫ２に基づく複数の試験手順を試験ガイド表示画面Ｉにおける試験手順表示エリアＡ１ａに更新表示する（図１２；ステップＳ６２）。
【０１２８】
この結果、運転員は、試験手順表示装置３の試験手順表示エリアＡ１ａを見ることにより、常に対応するサブステップ・ステップを含む試験手順を確認することができる。
【０１２９】
一方、ステップＳ７の処理後、すなわち、運転員から“ステップ進行”ＰＢが選択された際において、現実行試験ステップの判定が確定していない場合には（ステップＳ２７→ＮＯ）、試験進行制御部２２は、試験不良を運転員が判断し、試験進行指示を行なったものと認識して、現試験実行ステップの試験判定結果が不良であることを表すマーク“ＮＧ”表示要求を、サーバデータ通信部２３、通信ネットワーク５およびデータ通信部１１を介してコンソール制御部１０に送信する（ステップＳ３３）。
【０１３０】
コンソール制御部１０は、上記ステップＳ５１〜６０の処理、およびステップＳ６１〜６２の処理と並列的にマーク“ＮＧ”表示要求が送信されてきたか否か判断しており（図１３；ステップＳ６３）、マーク“ＮＧ”表示要求が送信されてくると（ステップＳ６３→ＹＥＳ）、対応するマーク“ＮＧ”を判定結果表示エリアＡ１ｃにおける対応する実行試験ステップの試験手順に並ぶように表示する（ステップＳ６４）。
【０１３１】
この結果、運転員は、試験手順表示装置３の判定結果表示エリアＡ１ｃを見ることにより、対応する試験ステップの試験不良（試験結果判定不良）を確認することができる。
【０１３２】
以上述べたように、本実施形態のサーベイランス試験装置１によれば、サーベイランス試験の試験手順をガイド表示する機能、サーベイランス試験の試験結果（計測データや、計測データの判定結果等）を表示する機能および運転員の操作による試験進行指示入力機能を、サーベイランス試験装置１のプラントデータ入力機能およびサーベイランス試験実行機能から分離することにより、これら分離した試験手順ガイド表示機能、試験結果表示機能および試験進行指示入力機能を、試験対象系統機器に対する実際の制御操作用および試験対象系統機器の動作状態表示用の操作パネル２とは独立のハードウエア端末である試験手順表示装置３に搭載することができる。
【０１３３】
したがって、上記プラントデータ入力機能およびサーベイランス試験実行機能をサーベイランスサーバ４に搭載し、上記試験手順表示装置３およびサーベイランスサーバ４を通信可能に通信ネットワーク５で接続することにより、サーベイランス試験を実行可能なサーベイランス試験装置１を構築することができる。
【０１３４】
また、本実施形態のサーベイランス試験装置１によれば、試験手順表示装置３として、操作パネル２とは独立のハードウエア端末を用いることができるため、この試験手順表示装置（ハードウエア端末）３を、例えばラップトップパソコン等の可搬型ハードウエア端末とすることができる。したがって、試験手順表示装置３を、試験対象系統に対応する操作パネル２の制御操作デバイスおよび動作表示用ランプの近傍に設置することができる。
【０１３５】
この結果、運転員は、試験手順表示装置３に表示された試験手順表示内容の確認処理、サーベイランス試験進行指示入力処理、制御操作デバイス操作処理および動作表示用ランプ確認処理を非常に容易に略同時に行なうことができる。
【０１３６】
したがって、サーベイランス試験装置１の操作性およびサーベイランス試験効率を大幅に向上させることができ、運転員の上記試験手順表示内容の確認処理、サーベイランス試験進行指示入力処理、制御操作デバイス操作処理および動作表示用ランプ確認処理にかかる負担を大幅に低減することができる。
【０１３７】
さらに、本実施形態のサーベイランス試験装置１によれば、上述したように、試験手順表示装置３を、操作パネル２における対応する試験対象系統の動作表示用ランプの近傍に設置することができるため、試験手順表示装置３に表示された試験手順と動作表示用ランプとを容易に略同時に視認することができる。
【０１３８】
そして、本実施形態のサーベイランス試験装置１によれば、上述したように、試験手順表示装置３を、操作パネル２における試験対象系統に対応する制御操作デバイスおよび動作表示用ランプの近傍に設置することができるため、運転員は、試験手順表示装置３を介した視認処理および操作指示入力処理と操作パネル２を介した制御操作入力処理および動作状態視認処理とを、頻繁に移動することなく略同一の位置で実行することができる。したがって、運転員の上記各処理を実行する際に要する負担をさらに低減することができる。
【０１３９】
（第２の実施の形態）
図１４は、本発明の第２の実施の形態に係わるサーベイランス試験装置の機能ブロック構成を概略的に示す図である。なお、図１４に示すサーベイランス試験装置において、第１実施形態のサーベイランス試験装置（図１参照）と略同等の構成要素については、同一の符号を付してその説明を省略または簡略化する。
【０１４０】
図１４に示すサーベイランス試験装置１Ａにおいて、制御盤・操作パネル２Ａは、第１実施形態で説明した構成に加えて、図３に示す表示エリア２ａ内の所定位置に配置された系統図等を表示するための表示装置３０を有しており、サーベイランスサーバ４Ａは、第１実施形態で説明した構成に加えて、サーベイランス試験対象系統に係わる系統図を制御盤・操作パネル２Ａの表示装置３０に表示するための処理を行なう系統図表示部３１を有している。そして、図１４に示すサーベイランスサーバ４Ａの試験進行制御部２２Ａは、第１実施形態で説明した処理に加えて、系統図表示部３１に対して系統図表示指示を行なうようになっている。
【０１４１】
図１５は、系統図表示部３１の概略構成を示すブロック図である。図１５に示すように、系統図表示部３１は、サーベイランス試験実施時において状態変化しない系統機器、配管等（以下、固定系統機器と呼ぶ）を表示装置３０の画面上に図的に表示するための固定表示データ（図形、絵文字等のシンボルデータ）を試験対象系統毎に記憶する系統図固定表示データ記憶部３１Ａと、サーベイランス試験実施時において状態変化する弁、ポンプ等（以下、可変系統機器と呼ぶ）の動作状態（可変動作状態）を表示装置３０の画面上に図的に表示するための可変表示データ（シンボルデータ）を上記試験対象系統毎に記憶する系統図可変表示データ記憶部３１Ｂと、系統図固定表示データ記憶部３１Ａに記憶された固定表示データおよび系統図可変表示データ記憶部３１Ｂに記憶された可変表示データをそれぞれ読み出して表示装置３０に送る処理を行なう系統図表示処理部３１Ｃとを備えている。なお、系統図表示処理部３１Ｃは、試験進行制御部２２Ａとは別個の演算処理回路で具体化することも可能であり、試験進行制御部２２Ａと同一の演算処理回路の処理として具体化することも可能である。
【０１４２】
次に、本実施形態のサーベイランス試験装置１Ａの全体動作について、系統図表示処理を中心に説明する。
【０１４３】
本実施形態において、サーベイランスサーバ４Ａの試験進行制御部２２Ａは、第１実施形態における前掲図７のステップＳ１の処理として、試験手順表示装置３から送信されてきた試験開始指令および試験番号に応じて対応する試験番号の試験手順データを試験手順データ記憶部２１から読み出す処理に加えて、上記試験番号に対応する試験対象系統（例えば、ＸＸＸＸ系統）の系統図表示指示を系統図表示部３１に送るようになっている。
【０１４４】
このとき、系統図表示部３１の系統図表示処理部３１Ｃは、送られた試験対象系統（ＸＸＸＸ系統）の系統図表示指示に応じて、その試験対象系統に対応する固定表示データを系統図固定表示データ記憶部３１Ａから読み出し、読み出した固定表示データを制御盤・操作パネル２Ａの表示装置３０に送る。表示装置３０は、送られた固定表示データに基づいて、上記固定系統機器がシンボルとして図的に表された上記試験対象系統に対応する系統図を作成して画面上に表示するようになっている。
【０１４５】
そして、系統図表示処理部３１Ｃは、系統図表示指示に応じて、プラントデータ入力部２０により入力された試験対象系統機器（可変系統機器）のプラントデータＤ１を取り込み、取り込んだプラントデータＤ１の値（計測データ値）に対応する可変表示データを系統図可変表示データ記憶部３１Ｂから読み出し、読み出した可変表示データを制御盤・操作パネル２Ａの表示装置３０に送る。表示装置３０は、送られた可変表示データに基づいて、固定系統機器を含む試験対象系統に対応する系統図上において、対応する可変系統機器の動作状態を表すシンボルを重畳表示するようになっている。
【０１４６】
この結果、図１６に示すように、表示装置３０には、ＸＸＸＸサーベイランス試験対象系統における固定系統機器のシンボルおよび可変表示機器の動作状態を表すシンボルをそれぞれ含むサーベイランス試験対象系統図（系統画面）ＳＩが表示される。
【０１４７】
したがって、運転員は、制御盤・操作パネル２の表示エリア２ａ内に配置された表示装置３０に表示されたサーベイランス試験対象系統図ＳＩを視認することにより、実際のサーベイランス試験対象系統における試験対象系統機器の動作状態を非常に容易に把握することができる。
【０１４８】
（第３の実施の形態）
図１７は、本発明の第３の実施の形態に係わるサーベイランス試験装置の機能ブロック構成を概略的に示す図である。なお、図１７に示すサーベイランス試験装置において、第１実施形態のサーベイランス試験装置（図１参照）と略同等の構成要素については、同一の符号を付してその説明を省略または簡略化する。
【０１４９】
図１７に示すサーベイランス試験装置１Ｂにおいて、試験手順表示装置３Ｂにおける試験ガイド表示画面Ｉのコンソール表示エリアＡ２には、図５に示す構成に加えて、系統図表示を指示するための系統図表示指示用ＰＢ（“系統図表示ＰＢ”）ＰＢ８がさらに形成されており、試験進行指示部１４Ｂは、運転員の系統図表示ＰＢ８操作に応じて、系統図表示要求をコンソール制御部１０Ｂに送るようになっている。
【０１５０】
さらに、試験手順表示装置３Ｂは、第１実施形態で説明した構成に加えて、サーベイランス試験実施中のサーベイランス試験対象系統に係わる系統図を表示するための処理を行なう系統図表示部４０を有している。
【０１５１】
一方、サーベイランスサーバ４Ｂは、第１実施形態で説明した構成に加えて、プラントデータ入力部２０により入力されたプラントデータＤを収集し、上記系統図表示用のプラントデータに編集する処理を行なう系統図プラントデータ収集部４１を備えている。
【０１５２】
図１８は、系統図表示部４０の概略構成を示すブロック図である。図１８に示すように、系統図表示部４０は、系統図（系統画面）表示用の表示部（表示デバイス）４０Ａと、サーベイランス試験実施時において状態変化しない系統機器、配管等の固定系統機器を画面表示部４０Ａの画面上に図的に表示するための固定表示データを試験対象系統毎に記憶する系統図固定表示データ記憶部４０Ｂと、サーベイランス試験実施時において状態変化する弁、ポンプ等の可変系統機器の可変動作状態を画面表示部４０Ａの画面上に図的に表示するための可変表示データを上記試験対象系統毎に記憶する系統図可変表示データ記憶部４０Ｃと、系統図固定表示データ記憶部４０Ｂに記憶された固定表示データおよび系統図可変表示データ記憶部４０Ｃに記憶された可変表示データをそれぞれ読み出して画面表示部４０Ａに表示出力する処理を行なう系統図表示処理部４０Ｄとを備えている。
【０１５３】
なお、系統図プラントデータ収集部４１は、試験進行制御部２２Ａとは別個の演算処理回路で具体化することも可能であり、試験進行制御部２２Ａと同一の演算処理回路の処理として具体化することも可能である。また、系統図表示処理部４０Ｄは、コンソール制御部１０Ｂとは別個の演算処理回路で具体化することも可能であり、コンソール制御部１０Ｂと同一の演算処理回路の処理として具体化することも可能である。
【０１５４】
次に、本実施形態のサーベイランス試験装置１Ｂの全体動作について、系統図表示処理を中心に説明する。
【０１５５】
本実施形態において、運転員は、第１実施形態で説明したサーベイランス試験実施中において、試験進行指示部１４を操作して試験ガイド表示画面Ｉ上のコンソール表示エリアＡ２における“系統図表示”ＰＢ８を押圧（クリック）する。
【０１５６】
コンソール制御部１０Ｂは、試験進行指示部１４操作によりクリックされた“系統図表示”ＰＢ８に基づく系統図表示要求に応じて、サーベイランス試験が実施された試験対象系統（例えば、ＸＸＸＸ系統）の系統図表示指示を系統図表示部４０に送る。
【０１５７】
このとき、系統図表示部４０の系統図表示処理部４０Ｄは、送られた試験対象系統（ＸＸＸＸ系統）の系統図表示指示に応じて、その試験対象系統に対応する固定表示データを系統図固定表示データ記憶部４０Ｂから読み出し、読み出した固定表示データに基づいて、上記固定系統機器がシンボルとして図的に表された上記試験対象系統に対応する系統図を作成し、作成した系統図を画面表示部４０Ａの画面上に表示する。
【０１５８】
そして、系統図表示処理部４０Ｄは、系統図可変表示データ記憶部３１Ｂを参照して上記試験対象系統の系統図に対応する可変系統機器のプラントデータ項目を編集し、編集したプラントデータ項目およびプラントデータ送信要求をデータ通信部１１Ｂおよび通信ネットワーク５を介してサーベイランスサーバ４Ｂのサーバデータ通信部２３に送信する。
【０１５９】
サーベイランスサーバ４Ｂの系統図プラントデータ収集部４１は、サーバデータ通信部２３を介して送られたプラントデータ項目およびプラントデータ送信要求に基づいて、プラントデータ入力部２０により入力・保持されたプラントデータの中から、上記プラントデータ項目に対応するプラントデータＤ２を周期的に収集し、収集したプラントデータＤ２をサーバデータ通信部２３およびデータ通信部１１Ｂを経由して周期的に試験手順表示装置３Ｂに送信する。
【０１６０】
系統図表示部４０の系統図表示処理部４０Ｄは、データ通信部１１Ｂを介して周期的に送信されてきたプラントデータＤ２の計測データ値に対応する可変表示データを系統図可変表示データ記憶部４０Ｃから読み出し、読み出した可変表示データに対応する可変系統機器の動作状態を表すシンボルを、固定系統機器を含む試験対象系統に対応する系統図上に重畳表示する。
【０１６１】
この結果、前掲図１６に示すように、画面表示部４０Ａには、ＸＸＸＸサーベイランス試験対象系統における固定系統機器のシンボルおよび可変表示機器の動作状態を表すシンボルをそれぞれ含むサーベイランス試験対象系統図（系統画面）ＳＩが表示される。
【０１６２】
したがって、運転員は、試験手順表示装置３Ｂの画面表示部４０Ａに表示されたサーベイランス試験対象系統図ＳＩを視認することにより、実際のサーベイランス試験対象系統における試験対象系統機器の動作状態を非常に容易に把握することができる。
【０１６３】
なお、本実施形態においては、画面表示部４０Ａを試験手順等を表示するための表示部１３Ｂとは別個に設けたが、本発明はこれに限定されるものではなく、例えば、系統図表示処理部４０Ｄは、固定表示データおよび可変表示データを含む系統図を、表示部１３の試験ガイド表示画面Ｉにおける所定の表示エリア（例えば、試験手順／結果表示エリアＡ１）上にオーバーラップ表示することもできる。
【０１６４】
（第４の実施の形態）
図１９は、本発明の第４の実施の形態に係わるサーベイランス試験装置の機能ブロック構成を概略的に示す図である。なお、図１９に示すサーベイランス試験装置において、第１実施形態のサーベイランス試験装置（図１参照）と略同等の構成要素については、同一の符号を付してその説明を省略または簡略化する。
【０１６５】
図１９に示すサーベイランス試験装置１Ｃにおいて、サーベイランスサーバ４Ｃは、複数の試験手順データＤ１（試験番号１）〜ＤＮ（試験番号Ｎ）それぞれに対応して予め用意された、対応する試験手順の詳細な内容（詳細な操作手順）を表す試験詳細手順データＴＤ１〜ＴＤＮを記憶する試験詳細手順データ記憶部５０と、記憶された試験詳細手順データＴＤ１〜ＴＤＮを編集するための試験詳細手順編集部５１とを備えている。
【０１６６】
各試験詳細手順データＴＤ１〜ＴＤＮ（図２０においては、試験詳細手順データＴＤ１のデータ構造のみ示しているが、他のデータ構造も同様である）には、図２０に示すように、対応する試験手順データＤ１〜ＤＮの各試験ステップ毎の詳細な試験手順を表す情報が記憶されている。
【０１６７】
一方、試験手順表示装置３Ｃにおける試験ガイド表示画面Ｉのコンソール表示エリアＡ２には、図５に示す構成に加えて、試験詳細手順表示を指示するための試験詳細手順表示指示用ＰＢ（“試験手順詳細ＰＢ”）ＰＢ９がさらに形成されており、試験進行指示部１４Ｃは、運転員の試験手順詳細ＰＢ９操作に応じて、試験詳細手順表示要求をコンソール制御部１０Ｃに送るようになっている。
【０１６８】
また、試験手順表示装置３Ｃは、第１実施形態の構成に加えて、図１９に示すように、サーベイランス試験実施中における実行試験ステップの試験詳細手順を表示部１３の試験ガイド表示画面Ｉにおける所定の表示エリアにオーバーラップ表示するための処理を行なう試験詳細手順表示処理部５２を備えている。
【０１６９】
なお、試験詳細手順編集部５１は、試験進行制御部２２とは別個の演算処理回路で具体化することも可能であり、試験進行制御部２２と同一の演算処理回路の処理として具体化することも可能である。また、試験詳細手順表示処理部５２は、コンソール制御部１０Ｃとは別個の演算処理回路で具体化することも可能であり、コンソール制御部１０Ｃと同一の演算処理回路の処理として具体化することも可能である。
【０１７０】
次に、本実施形態のサーベイランス試験装置１Ｃの全体動作について、試験詳細手順表示処理を中心に説明する。
【０１７１】
本実施形態において、運転員は、第１実施形態で説明したサーベイランス試験実施中に、例えば、制御操作ＳＷの位置等が分からなくなった場合や、通常の試験手順実行時の結果とは相違する判定結果が発生した場合等において、試験進行指示部１４Ｃを操作して試験ガイド表示画面Ｉ上のコンソール表示エリアＡ２における“試験詳細手順”ＰＢ９をクリックする。
【０１７２】
コンソール制御部１０Ｃは、試験進行指示部１４Ｃの操作によりクリックされた“試験詳細手順”ＰＢ９に基づく試験詳細手順表示要求に応じて、その試験詳細手順表示要求に現在の試験実行中ステップ（例えば、ステップＸＸ）の試験ステップ番号を付加し、試験ステップ番号付きの試験詳細手順表示要求をデータ通信部１１および通信ネットワーク５を介してサーベイランスサーバ４Ｃのサーバデータ通信部２３に送信する。
【０１７３】
サーベイランスサーバ４Ｃの試験詳細手順編集部５１は、サーバデータ通信部２３を介して送られてきた試験詳細手順表示要求における試験ステップ番号に対応する試験詳細手順データを試験詳細手順データ記憶部５１から読み出し、読み出した試験詳細手順データを表示用の試験詳細手順データに編集してサーバデータ通信部２３およびデータ通信部１１を経由して試験手順表示装置３Ｃに送信する。
【０１７４】
試験手順表示装置３Ｃの試験詳細手順表示処理部５２は、データ通信部１１およびコンソール制御部１０Ｃを介して送信されてきた、試験詳細手順表示要求に対応する表示用試験詳細手順データに基づいて、試験詳細手順から構成されたウインドウＷ１を作成し、作成した試験詳細手順ウインドウＷ１を表示部１３の試験ガイド表示画面Ｉにおける所定の表示エリア上にオーバーラップ表示する。
【０１７５】
この結果、試験ガイド表示画面Ｉの所定の表示エリア上には、図２１に示すように、縦方向スクロールバーＢ１および“閉じる”操作（イベント）を入力可能な“閉じる”ＰＢ１０を含む試験詳細手順ウインドウＷ１がオーバーラップ表示される。
【０１７６】
なお、運転員は、試験進行指示部１４Ｃを操作して縦方向スクロールバーＢ１をクリックすることにより、このクリックに応じた試験手順表示処理部５２のスクロール処理が実行され、現在表示された試験実行中ステップを含む複数ステップに対応する試験詳細手順を、他の試験実行ステップに対応する試験詳細手順にスクロールすることができる。また、運転員は、何時でも“閉じる”ＰＢ１０をクリックすることにより、このクリックに応じた試験手順表示処理部５２の処理が実行され、表示された試験詳細手順ウインドウＷ１を閉じることができる。
【０１７７】
以上述べたように、本実施形態によれば、運転員は、サーベイランス試験実施時において、制御操作ＳＷの位置等が分からなくなった場合や、通常の試験手順実行時の結果とは相違する結果が発生した場合等、従来において定例試験手順書を参照する様な場合においても、サーベイランス試験実施中に、サーベイランス試験実行中の試験ステップの詳細手順表示を要求することにより、容易に実行中試験ステップの試験詳細手順（ウインドウＷ１）を表示部１３に表示させることができるため、表示された試験詳細手順を簡単に確認することができる。この結果、サーベイランス試験装置１Ｃによる試験業務の効率化が図れる。
【０１７８】
（第５の実施の形態）
図２２は、本発明の第５の実施の形態に係わるサーベイランス試験装置の機能ブロック構成を概略的に示す図である。なお、図２２に示すサーベイランス試験装置において、第１実施形態のサーベイランス試験装置（図１参照）と略同等の構成要素については、同一の符号を付してその説明を省略または簡略化する。
【０１７９】
図２２に示すサーベイランス試験装置１Ｄの試験手順表示装置３Ｄにおける試験ガイド表示画面Ｉのコンソール表示エリアＡ２には、図５に示す構成に加えて、試験実行中ステップの拡大表示を指示するためのステップ拡大指示用ＰＢ（“ステップ拡大ＰＢ”）ＰＢ１２がさらに形成されており、試験進行指示部１４Ｄは、運転員のステップ拡大ＰＢ１２操作に応じて、試験実行中ステップ拡大表示要求をコンソール制御部１０Ｄに送るようになっている。
【０１８０】
また、試験手順表示装置３Ｄは、第１実施形態の構成に加えて、図２２に示すように、サーベイランス試験実施中における試験実行中ステップ、すなわち、その試験実行中ステップの試験手順（サブステップ）、サブステップ計測データおよびサブステップ判定結果を拡大して試験ガイド表示画面Ｉ全体に表示するための処理を行なうステップ手順拡大表示処理部６０を備えている。
【０１８１】
なお、ステップ手順拡大表示処理部６０は、コンソール制御部１０Ｄとは別個の演算処理回路で具体化することも可能であり、コンソール制御部１０Ｄと同一の演算処理回路の処理として具体化することも可能である。
【０１８２】
次に、本実施形態のサーベイランス試験装置１Ｄの全体動作について、実行中ステップ拡大表示処理を中心に説明する。
【０１８３】
本実施形態において、運転員は、第１実施形態で説明した所定のサーベイランス試験実施中において、試験ガイド表示画面Ｉ上の試験手順／結果表示エリアＡ１に表示された上記所定のサーベイランス試験に対応する試験ステップの内容｛試験手順（サブステップ）、計測データ、サブステップ判定結果等｝を拡大して見たい際に、試験進行指示部１４を操作して試験ガイド表示画面Ｉ上のコンソール表示エリアＡ２における“ステップ拡大”ＰＢ１２をクリックする。
【０１８４】
コンソール制御部１０Ｄは、試験進行指示部１４操作によりクリックされた“ステップ拡大”ＰＢ１２に基づくステップ拡大表示要求に応じて、そのステップ拡大表示要求に現在の実行中試験ステップ（例えば、ステップＸＸ）の試験ステップ番号を付加し、試験ステップ番号付きのステップ拡大表示要求をステップ手順拡大表示処理部６０に通知する。また、コンソール制御部１０Ｄは、ステップ拡大表示要求時において、実行中試験ステップが変化する際には、変化後の実行中試験ステップ番号を含む拡大表示更新要求を通知する。
【０１８５】
試験手順表示装置３Ｄのステップ手順拡大表示処理部６０は、通知されたステップ拡大表示要求に応じて、コンソール制御部１０Ｄを介して表示部１３Ｄの試験ガイド表示画面Ｉにおける試験手順／結果表示エリアＡ１に周期的に表示される実行中試験ステップの試験手順（サブステップ）、サブステップ計測データ、サブステップ判定結果およびステップ判定結果を周期的に取り込む（図２３；ステップＳ７０）。
【０１８６】
次いで、ステップ手順拡大表示処理部６０は、取り込んだ実行中試験ステップに含まれるサブステップ数（行数）が予め設定された表示行数（本実施形態では８行）以内であるか判断する（ステップＳ７１）。
【０１８７】
ステップＳ７１の判断の結果、実行中試験ステップに含まれるサブステップ数が表示行数以内である場合には（ステップＳ７１→ＹＥＳ）、該当試験ステップに含まれる全サブステップ、サブステップ計測データ、サブステップ判定結果およびステップ判定結果に基づいて、各サブステップ、各サブステップ計測データ、各サブステップ判定結果が互いに対応付けられて構成され、かつ試験ガイド表示画面Ｉ全体に匹敵する面積を有する実行中試験ステップ拡大表示データを作成し（ステップＳ７２）、作成した実行中試験ステップ拡大表示データに基づく拡大ウインドウＷ２を表示部１３の試験ガイド表示画面Ｉ全体にオーバーラップ表示する（ステップＳ７３）。
【０１８８】
この結果、試験ガイド表示画面Ｉには、図２４に示すように、実行中試験ステップＸＸの試験手順（サブステップ）、サブステップ計測データ等を含む拡大ウインドウＷ２が試験ガイド表示画面Ｉ全体に拡大された状態でオーバーラップ表示されており、実行中試験ステップＸＸの各サブステップ、各サブステップ計測データ、各サブステップ判定結果は、互いに対応付けられて拡大表示される。
【０１８９】
一方、ステップＳ７１の判断の結果、実行中試験ステップに含まれるサブステップ数が表示行数を超えた場合には（ステップＳ７１→ＮＯ）、取り込んだサブステップ判定結果に応じて、未判定（運転員未確認等）の項目（現在実行すべきサブステップ）を抽出し（ステップＳ７４）、抽出したサブステップを表示行の先頭として、抽出サブステップを含むそれ以降の各サブステップ、各サブステップ計測データ、各サブステップ判定結果が互いに対応付けられて構成され、かつ試験ガイド表示画面Ｉ全体に匹敵する面積を有する実行中試験ステップ拡大表示データを作成して（ステップＳ７５）、ステップＳ７３の処理に移行する。
【０１９０】
この結果、実行中試験ステップに含まれるサブステップ数が表示行数を超えた場合でも、運転員が確認したい未判定（未確認）の試験サブステップを含む実行中試験ステップ内容が拡大表示される。
【０１９１】
また、本実施形態においても、運転員は、拡大ウインドウＷ２に含まれる“閉じる”操作入力用の“閉じる”ＰＢ１３をクリックすることにより、このクリックに応じたステップ手順拡大表示処理部６０の処理が実行され、表示された拡大ウインドウＷ２を閉じることができる。
【０１９２】
一方、ステップ手順拡大表示処理部６０は、ステップＳ７３の処理後において、コンソール制御部１０Ｄから拡大表示更新要求が送信されてきたか否かを判断しており（ステップＳ７６）、拡大表示更新要求が送信されてきた際には（ステップＳ７６→ＹＥＳ）、ステップ手順拡大表示処理部６０は、ステップＳ７０の処理に移行し、拡大表示更新要求に含まれる試験ステップ番号の試験ステップ、すなわち実行中試験ステップの試験手順（サブステップ）、サブステップ計測データ、サブステップ判定結果およびステップ判定結果を周期的に取り込んでステップＳ７１の処理に移行する。
【０１９３】
この結果、実行中試験ステップ拡大表示時において実行中試験ステップが変更された場合でも、その実行中試験ステップの変更に応じて、表示部１３Ｄのステップ拡大表示内容を変化させることができる。
【０１９４】
以上述べたように、本実施形態によれば、サーベイランス試験実施中において、実行中試験ステップの内容（サブステップ手順、サブステップ計測データ、サブステップ判定結果等）を表示部１３Ｄ上で拡大表示することができるため、運転員は、制御盤・操作パネル２の近傍において立位姿勢で実行中試験ステップの試験手順（サブステップ）確認処理、制御盤・操作パネル２の試験対象系統機器に対応する制御操作ＳＷの操作処理および対応する動作表示用ランプの確認処理を同時に行なう場合においても、実行中試験ステップの内容｛試験手順（サブステップ）、計測データ、サブステップ判定結果等｝を正確に視認することができる。
【０１９５】
したがって、運転員の上記実行中試験ステップ内容確認動作に係わる姿勢変更や視線変更等を大幅に減らすことができ、運転員は、実行中試験ステップ内容確認作業を行ないながら、無理なく制御操作ＳＷ操作および動作表示用ランプ確認作業を行なうことができるため、サーベイランス試験効率を向上させ、かつ運転員のサーベイランス試験実施時の負担を低減させることができる。
【０１９６】
（第６の実施の形態）
図２５は、本発明の第６の実施の形態に係わるサーベイランス試験装置の機能ブロック構成を概略的に示す図である。なお、図２５に示すサーベイランス試験装置において、第１実施形態のサーベイランス試験装置（図１参照）と略同等の構成要素については、同一の符号を付してその説明を省略または簡略化する。
【０１９７】
図２５に示すサーベイランス試験装置１Ｅの試験手順表示装置３Ｅは、第１実施形態の構成に加えて、図２５に示すように、運転員の頭（ヘッド）に装着された図示しないヘッドセットマイク等の変換器を介して運転員から発話された音声を電気信号（音声信号）として入力して音声分析し、上記発話内容を認識（例えば、音声信号に含まれる単語を認識）する機能を有する音声入力部６５を備えており、試験手順表示装置３Ｅの試験進行指示部１４Ｅは、音声入力部６５から通知された操作指令をコンソール制御部１０に送信するようになっている。
【０１９８】
本実施形態によれば、運転員は、試験進行指示部１４（その入力機器）を操作して試験ガイド表示画面Ｉ上に形成された所望のＰＢをクリックせずに、所望のＰＢに対応する指令（要求）内容を表す予め設定されたキーワード（例えば、“ステップ進行”や“運転員確認”、“スキップ”等）を発話する。
【０１９９】
この発話されたキーワード（音声）は、ヘッドセットマイク等の変換器を介して音声入力部６５により音声信号として入力され、入力された音声信号は、音声入力部６５の音声分析処理により、上記キーワードを表す単語に変換される。
【０２００】
このとき、音声入力部６５は、試験ガイド表示画面Ｉ上に設定された試験進行指示入力操作要求用の各種ＰＢに対応する上記キーワード情報（“ステップ進行”、“運転員確認”、“スキップ”等）を予め保持しており、変換された単語が保持された試験操作要求用のキーワード情報と一致する場合、音声入力部６５は、一致したキーワード情報を操作指令として試験進行指示部１４Ｅに通知する。そして、試験進行指示部１４Ｅは、第１実施形態で説明した運転員の所定のＰＢ操作に基づく操作指令と同様に、音声入力部６５を介して通知された操作指令をコンソール制御部１０に送信するようになっている。
【０２０１】
コンソール制御部１０のサーベイランス試験に係わる処理については、第１実施形態と同様である。
【０２０２】
すなわち、本実施形態によれば、試験ガイド表示画面Ｉの各種ＰＢを操作することなく、通常のサーベイランス試験進行指示を、運転員の発声による音声指令により行なうことができるため、運転員は、サーベイランス試験進行指示を行なう際の試験進行指示操作性の向上が図れる。
【０２０３】
そして、サーベイランス試験装置３Ｅ側、すなわち、その表示部１３に向かっての試験進行指示操作が不要となり、サーベイランス試験実施時に試験対象系統に対応する制御盤・操作パネルの制御操作ＳＷの操作、動作表示用ランプの確認動作、サーベイランス試験装置３Ｅの表示部１３の試験ガイド表示画面Ｉを介して表示提供される試験手順の確認動作およびこの確認動作に基づく音声による試験進行指示操作を略同時に行なうことができ、サーベイランス試験業務の効率化を図ることができる。
【０２０４】
（第７の実施の形態）
図２６は、本発明の第７の実施の形態に係わるサーベイランス試験装置の機能ブロック構成を概略的に示す図である。なお、図２６に示すサーベイランス試験装置において、第１実施形態のサーベイランス試験装置（図１参照）と略同等の構成要素については、同一の符号を付してその説明を省略または簡略化する。
【０２０５】
図２６に示すサーベイランス試験装置１Ｆは、複数台（本実施形態では２台）の試験手順表示装置３Ｆ１、３Ｆ２を備えており、その内の一方の試験手順表示装置３Ｆ１は中操側に配置され、他方の試験手順表示装置３Ｆ２は、プラント現場側に配置される。
【０２０６】
そして、試験手順表示装置３Ｆ１、３Ｆ２およびサーベイランスサーバ４Ｆは、通信ネットワーク５を介して互いに通信可能に接続されており、サーベイランスサーバ４Ｆ、試験手順表示装置３Ｆ１および３Ｆ２には、ネットワーク環境下での情報送信先指定用のネットワークアドレスがそれぞれ設定されている。
【０２０７】
各試験手順表示装置３Ｆ１、３Ｆ２は、記憶部１２Ｆに記憶された、自試験手順表示装置にサーベイランス試験進行指示を行なう権限（以下、制御権と呼ぶ）があるか否かを定める情報（以下、制御権有無情報Ｒと呼ぶ）に基づいて、自試験手順表示装置の制御権の有無を判定する処理を行なう制御権判定部７０を備えており、運転員が試験進行指示部１４Ｆ（その入力機器）を操作（例えば、試験進行指示入力用のＰＢクリック）することにより入力された試験進行指示は、コンソール制御部１０Ｆに直接送られるのではなく、一旦制御権判定部７０に送られるようになっている。
【０２０８】
そして、制御権判定部７０は、試験進行指示部１４Ｆを介して運転員から試験進行指示が送られると、記憶部１２Ｆに記憶された制御権有無情報Ｒを参照し、自試験手順表示装置に制御権が有る場合にのみ試験進行指示をコンソール制御部１４Ｆに送るようになっている。なお、制御権を有する試験手順表示装置の操作モードを制御権モードと呼び、制御権を有しない試験手順表示装置の操作モードをモニタモードと呼ぶ。
【０２０９】
一方、本実施形態のサーベイランス試験装置１Ｆにおけるサーベイランスサーバ４Ｆは、複数の試験手順表示装置３Ｆ１、３Ｆ２のモード情報、すなわち、複数の試験手順表示装置３Ｆ１、３Ｆ２が制御権モードであるか否かを表すモード情報、例えば、制御権モードの試験手順表示装置を表すネットワークアドレスおよびモニタモードの試験手順表示装置を表すネットワークアドレスを、対応するモード毎に記憶するモード情報記憶部７１と、記憶されたモード情報に応じて、試験進行制御部２２に対して操作指示可能なコンソール（試験手順表示装置）およびモニタ用のコンソール（試験手順表示装置）を、複数の試験手順表示装置３Ｆ１、３Ｆ２の中から設定し管理するための処理を行なうコンソール管理部７２とを備えている。
【０２１０】
なお、コンソール管理部７２は、試験進行制御部２２とは別個の演算処理回路で具体化することも可能であり、試験進行制御部２２と同一の演算処理回路の処理として具体化することも可能である。また、制御権判定部７０は、コンソール制御部１０Ｆとは別個の演算処理回路で具体化することも可能であり、コンソール制御部１０Ｆと同一の演算処理回路の処理として具体化することも可能である。
【０２１１】
次に、本実施形態のサーベイランス試験装置１Ｆの全体動作について、特に、サーベイランスサーバ４Ｆのコンソール管理部７２の処理動作および制御権判定部７０の処理動作を中心に説明する。
【０２１２】
サーベイランス試験装置１Ｆ起動時（試験手順表示装置３Ｆ１、３Ｆ２およびサーベイランスサーバ４Ｆ起動時）において、複数の試験手順表示装置３Ｆ１、３Ｆ２の内の一方（例えば、中操側の試験手順表示装置３Ｆ１）の制御権判定部７０は、中操側運転員からの試験進行指示部１４Ｆ操作等に応じて、自試験手順表示装置３Ｆ１の制御権の有無（起動時においては、記憶部１２Ｆには制御権有無情報は記憶されていない）をサーバ４Ｆ側へ問い合わせるための試験手順表示装置接続要求を、コンソール制御部１０Ｆおよびデータ通信部１１を介してサーベイランスサーバ４Ｆに送信する（図２７；ステップＳ８０）。サーベイランスサーバ４Ｆのサーバデータ通信部２３を介して受信された試験手順接続要求は、サーベイランスサーバ４Ｆのコンソール管理部７２に送られる。
【０２１３】
このとき、コンソール管理部７２は、送られた情報が“試験手順表示装置接続要求”（単に、“接続要求”とも呼ぶ）であるか否か判断し（図２８；ステップＳ９０）、この判断の結果接続要求であれば（ステップＳ９０→ＹＥＳ）、コンソール管理部７２は、送られた“接続要求”に応じて、モード情報記憶部７１を参照して、制御権を有する試験手順表示装置のネットワークアドレスが記憶されているか否か判断する（ステップＳ９１）。
【０２１４】
今、サーベイランスサーバ４Ｆは起動時であり、モード情報記憶部７１には何も記憶されてはいないため、ステップＳ９１の判断はＮＯとなり、コンソール管理部７２は、接続要求送信元の試験手順表示装置３Ｆ１に対して、制御権モードであることを表すモード通知をサーバデータ通信部２３を介して送信する（ステップＳ９２）。次いで、コンソール管理部７２は、対応する試験手順表示装置３Ｆ１のネットワークアドレスを、制御権モードのネットワークアドレスとしてモード情報記憶部７１に記憶して（ステップＳ９３）、接続中試験手順表示装置台数をカウントアップし（ステップＳ９４）、ステップＳ９０の処理に戻る。
【０２１５】
このとき、試験手順表示装置３Ｆ１の制御権判定部７０は、データ通信部１１およびコンソール制御部１０Ｆを介して送信されてきたモード通知を受信して、そのモード通知が制御権モードを表すモード通知であるか否か判断する（ステップＳ８１）。
【０２１６】
今、試験手順表示装置３Ｆ１に対応するモード通知は制御権モード通知であるためステップＳ８１の判断はＹＥＳであり、試験手順表示装置３Ｆ１の制御権判定部７０は、自試験手順表示装置３Ｆ１に制御権がある（制御権モードである）ことを表す制御権有無情報Ｒを記憶部１２Ｆに記憶する（ステップＳ８２）。
【０２１７】
一方、例えば、上記サーベイランスサーバ４ＦのステップＳ９１〜Ｓ９４の処理後において、他方、すなわち現場側の試験手順表示装置３Ｆ２の制御権判定部７０からサーベイランスサーバ４Ｆに対して接続要求が送信された際には（ステップＳ８０参照）、サーベイランスサーバ４Ｆのコンソール管理部７２は、送信されてきた接続要求に応じたステップＳ９１の処理により試験手順表示装置３Ｆ１のネットワークアドレスが記憶されていると判断し（ステップＳ９１→ＹＥＳ）、接続要求送信元の試験手順表示装置３Ｆ２に対して、モニタモードであることを表すモード通知をサーバデータ通信部２３を介して送信する（ステップＳ９５）。そして、コンソール管理部７２は、対応する試験手順表示装置３Ｆ２のネットワークアドレスを、モニタモードのネットワークアドレスとしてモード情報記憶部７１に記憶し（ステップＳ９６）、ステップＳ９４の処理に移行して接続中試験手順表示装置台数をカウントアップし（ステップＳ９４）、ステップＳ９０の処理に戻る。
【０２１８】
上記ステップＳ９５の処理の結果、モード通知はモニタモードであるため、試験手順表示装置３Ｆ２の制御権判定部７０の上記ステップＳ８１の判断はＮＯとなり、試験手順表示装置３Ｆ２の制御権判定部７０は、自試験手順表示装置３Ｆ２に制御権がない（モニタモードである）ことを表す制御権有無情報Ｒを記憶部１２Ｆに記憶する（ステップＳ８３）。
【０２１９】
そして、各試験手順表示装置３Ｆ１、３Ｆ２の制御権判定部７０は、制御権有無情報記憶部Ｒに記憶された制御権有無情報Ｒを参照して自試験手順表示装置が制御権モードであるか否か判断し（ステップＳ８４）、このステップＳ８４により制御権モードでない（モニタモード）と判断された場合、対応する試験手順表示装置（３Ｆ２）の制御権判定部７０は、試験進行指示部１４Ｆおよび表示部１３に対して試験進行指示（図５に示す各種ＰＢ）の入力禁止通知を送信する（ステップＳ８５）。この結果、試験手順表示装置３Ｆ２の試験進行指示部１４Ｆによる表示部１３の試験ガイド表示画面Ｉ上の各種ＰＢクリックは全て無効となる。
【０２２０】
また、ステップＳ８４により制御権モードであると判断された試験手順表示装置（３Ｆ１）の制御権判定部７０は、中操側運転員の試験進行指示部１４Ｆを介した試験終了ＰＢ２クリックに基づく試験終了要求が送信されたか否か判断しており（ステップＳ８６）、この判断により試験終了要求が送信されたと判断された場合（ステップＳ８６→ＹＥＳ）、制御権判定部７０は、上記試験終了要求に加えて自試験手順表示装置（３Ｆ１）の切り離し要求をコンソール制御部１０Ｆおよびデータ通信部１１を介してサーベイランスサーバ４Ｆに送信する（ステップＳ８７）。
【０２２１】
一方、コンソール管理部７２に対して送られた要求が“接続要求”でない場合には、上記コンソール管理部７２のステップＳ９０の判断はＮＯとなり、コンソール管理部７２は、送られた情報が、“試験進行指示”要求であるか否か判断する（ステップＳ９７）。
【０２２２】
今、第１実施形態で説明したサーベイランス試験実行中に、“制御権モード”の試験手順表示装置３Ｆ１のコンソール制御部１０Ｆからデータ通信部１１およびサーバデータ通信部２３を介して試験進行指示（例えば、試験開始ＰＢ１操作に基づく試験開始指示、ステップ進行ＰＢ６操作に基づくステップ進行指示等）が送信された場合には（前掲図８：ステップＳ５３、Ｓ５４および前掲図７：ステップＳ５参照）、上記コンソール管理部７２のステップＳ９０の判断はＮＯ、ステップＳ９７の判断はＹＥＳとなり、コンソール管理部７２は、上記試験進行指示の送信元が、制御権を有する試験手順表示装置３Ｆ１であるか否かを、送られた試験進行指示およびモード情報記憶部７１に記憶された制御権モードに対応するネットワークアドレスに基づいて判断する（ステップＳ９８）。
【０２２３】
このとき、上記試験進行指示が、制御権を有する試験手順表示装置３Ｆ１から送られたものでない場合には（ステップＳ９８→ＮＯ）、コンソール管理部７２は、その試験進行指示を試験進行制御部２２に送ることなく、ステップＳ９０の処理に戻る。
【０２２４】
一方、ステップＳ９８の判断の結果、制御権を有する試験手順表示装置３Ｆ１からの試験進行指示であった場合には（ステップＳ９８→ＹＥＳ）、コンソール管理部７２は、その試験進行指示を試験進行制御部２２に送り（ステップＳ９９）、ステップＳ９０の処理に戻る。
【０２２５】
試験進行制御部２２は、上記試験進行指示が試験開始指示である場合においては、ステップＳ１〜ステップＳ３の処理により試験手順表示データＤＫ１を作成し、作成した試験手順表示データＤＫ１および“ステップ進行”ＰＢ６のフリッカ要求をコンソール管理部７２に順次送信する（ステップＳ４参照）。
【０２２６】
このとき、コンソール管理部７２に送信された情報は“試験進行指示”要求ではないため、上記コンソール管理部７２のステップＳ９７の判断はＮＯとなり、コンソール管理部７２は、送られた情報が“試験手順表示データ”、“計測データ値”、“判定結果”等の表示用情報であるか否か判断する（ステップＳ１００）。
【０２２７】
今、コンソール管理部７２に送信された最初の情報は、表示用情報の１つである“試験手順表示データＤＫ１”であるため、コンソール管理部７２のステップＳ１００の判断はＹＥＳとなり、コンソール管理部７２は、“試験手順表示データＤＫ１”を、サーバデータ通信部２３を介して全ての接続中試験手順表示装置、すなわち、制御権モードおよびモニタモードの試験手順表示装置３Ｆ１、３Ｆ２それぞれに送信し（ステップＳ１０１）、ステップＳ９０の処理に戻る。
【０２２８】
この結果、各試験手順表示装置３Ｆ１、３Ｆ２においては、コンソール制御部１０ＦのステップＳ５１の処理により、表示部１３の試験ガイド表示画面Ｉの試験手順表示エリアＡ１ａには、上記試験手順表示データＤＫ１に基づく試験手順がそれぞれ表示される。
【０２２９】
すなわち、実際に試験進行指示を行なった制御権モードの試験手順表示装置３Ｆ１に加えて、モニタモードの試験手順表示装置３Ｆ２に対しても、試験手順が表示される。
【０２３０】
同様に、表示用情報が“計測データ”や“判定結果であった場合においても、上記ステップＳ１００、Ｓ１０１の処理により、上記計測データや判定結果が各試験手順表示装置３Ｆ１および３Ｆ２にそれぞれ表示される。
【０２３１】
一方、コンソール管理部７２に次に送られてきた情報（ステップ進行”ＰＢ６のフリッカ要求）は、表示用情報ではないため、上記コンソール管理部７２のステップＳ１００の判断はＮＯとなり、コンソール管理部７２は、送られた情報が“試験進行指示用ＰＢフリッカ要求”であるか否か判断する（ステップＳ１０２）。
【０２３２】
今、コンソール管理部７２に送信された次の情報は、“ステップ進行”ＰＢ６のフリッカ要求であるため、ステップＳ１０２の判断はＹＥＳとなり、コンソール管理部７２は、“試験進行指示用ＰＢフリッカ要求”としての“ステップ進行”ＰＢ６のフリッカ要求を制御権を有する試験手順表示装置３Ｆ１に送信して（ステップＳ１０３）、ステップＳ９０の処理に戻る。
【０２３３】
また、コンソール管理部７２に対して送られた情報が“試験進行指示用ＰＢフリッカ要求”でない場合には、上記コンソール管理部７２のステップＳ１０２の判断はＮＯとなり、コンソール管理部７２は、送られた情報の中に判定結果や試験手順等の“表示更新要求”であるか否か判断する（ステップＳ１０４）。
【０２３４】
今、第１実施形態で説明したサーベイランス試験実行中に、試験進行制御部２２から“表示更新要求”が試験手順表示装置３Ｆ１へ向けて送信されると（ステップＳ２０、ステップＳ２２、ステップＳ２４、ステップＳ２６、ステップＳ３２、ステップＳ３３参照）、コンソール管理部７２のステップＳ１０４の判断はＹＥＳとなり、コンソール管理部７２は、モード情報記憶部７１に記憶された全ての制御権モードおよびモニタモードに対応する接続中試験手順表示装置（本実施形態では試験手順表示装置３Ｆ１、３Ｆ２）に対して、送信された“表示更新要求”を通知し（ステップＳ１０５）、ステップＳ９０の処理に戻る。
【０２３５】
この結果、各試験手順表示装置３Ｆ１、３Ｆ２の試験ガイド表示画面Ｉにおいては、サーベイランス試験進行状況に応じて試験手順および判定結果等が変化しても、その変化に対応する試験手順および判定結果等が順次更新表示されることになる。
【０２３６】
一方、コンソール管理部７２に対して送られた要求が“表示更新要求”でない場合には、上記コンソール管理部７２のステップＳ１０４の判断はＮＯとなり、コンソール管理部７２は、送られた情報が“切り離し要求”であるか否か判断する（ステップＳ１０６）。
【０２３７】
今、“制御権モード”の試験手順表示装置３Ｆ１および“モニタモード”の試験手順表示装置３Ｆ２の内の少なくとも一方から試験進行指示部１４Ｆ等を介して“切り離し要求”がコンソール管理部７２に送信されてきたとすると、ステップＳ１０６の判断はＹＥＳとなり、コンソール管理部７２は、モード情報記憶部７１に記憶された、“切り離し要求”送信元の試験手順表示装置のモード情報（制御権モード、あるいはモニタモードのネットワークアドレス）を消去し（ステップＳ１０７）、消去したネットワークアドレスに対応する試験手順装置が制御権モードの試験手順表示装置（３Ｆ１）であるか否か判断する（ステップＳ１０８）。
【０２３８】
例えば、制御権モードの試験手順表示装置３Ｆ１から“切り離し要求”が送信されてきた場合においては、ステップＳ１０８の判断はＹＥＳとなり、コンソール管理部７２は、“試験終了”をサーバデータ通信部２３を介して全ての接続中試験手順表示装置、すなわち、制御権モード・モニタモードの試験手順表示装置３Ｆ１、３Ｆ２、および試験進行制御部２２にそれぞれに通知し、続いてモード情報記憶部７１に記憶された他の全ての接続中試験手順表示装置のモード情報を消去して（ステップＳ１０９）、処理を終了する。
【０２３９】
この結果、全ての試験手順表示装置３Ｆ１、３Ｆ２およびサーベイランスサーバ４Ｆのサーベイランス試験が終了される。
【０２４０】
一方、例えば、モニタモードの試験手順表示装置３Ｆ２から“切り離し要求”が送信されてきた場合においては、ステップＳ１０８の判断はＮＯとなり、そのまま処理を終了する。
【０２４１】
以上述べたように、本実施形態によれば、サーベイランス試験に係わる試験進行指示、試験手順表示および試験手順・判定結果更新表示を実行可能な複数の試験手順表示装置を、例えば中操側および現場側にそれぞれ配置し、サーベイランス試験手順、計測データおよび判定結果等のサーベイランス試験実施状況を複数の試験手順表示装置の表示部を介して表示出力することにより、上記サーベイランス試験実施状況に係わる情報を中操側運転員および現場側運転員に対してそれぞれ提供することができる。
【０２４２】
したがって、本実施形態においては、サーベイランス試験実施状況に関する情報（試験手順、計測データ値、判定結果等）を、ページング等の音声通話を用いることなく現場側の運転員に伝達することができるため、音声通話に伴うサーベイランス試験業務の中断・遅延等がなくなり、かつ音声通話に起因した聞き違え等もなくなるため、サーベイランス試験の効率化および信頼性の向上に寄与することができる。
【０２４３】
また、本実施形態においては、複数の試験手順表示装置を用いた際に、サーベイランス試験指示を行なう制御権モードの試験手順表示装置を、上記複数の試験手順表示装置の内の何れか１台に限定するようにしたため、複数の試験手順表示装置からの無秩序な試験進行指示によるサーベイランスサーバ側での試験進行制御の混乱を生じさせることなく、サーベイランス試験進行指示を行なうことができ、さらにサーベイランス試験の信頼性を向上させることができる。
【０２４４】
（第８の実施の形態）
図３０は、本発明の第８の実施の形態に係わるサーベイランス試験装置の機能ブロック構成を概略的に示す図である。なお、図３０に示すサーベイランス試験装置において、第１実施形態のサーベイランス試験装置（図１参照）および第７実施形態のサーベイランス試験装置（図２６参照）と略同等の構成要素については、略同一の符号を付してその説明を省略または簡略化する。
【０２４５】
図３０に示すサーベイランス試験装置１Ｆａは、第７実施形態で示したサーベイランス試験装置１Ｆと略同等の構成を有している。
【０２４６】
本実施形態においては、複数台（本実施形態では３台）の試験手順表示装置３Ｆａ１〜３Ｆａ３を備えており、各試験手順表示装置３Ｆａ１〜３Ｆａ３の制御権有無情報Ｒａにおける“制御権有り”を表す制御権モードは、さらに中操側の操作指示モードである中操モードと現場側の操作指示モードである現場モードに分けられている。
【０２４７】
本実施形態においては、複数台の試験手順表示装置３Ｆａ１〜３Ｆａ３の内、試験手順表示装置３Ｆａ１は中操側に配置され、試験手順表示装置３Ｆａ２は、プラント現場側に配置されている。
【０２４８】
そして、各試験手順表示装置３Ｆａ１〜３Ｆａ３の制御権判定部７０ａは、上記制御権有無情報Ｒａに基づいて自試験手順表示装置が制御権を有するのか否かを判定するとともに、自試験手順表示装置が中操側に配置されているのか現場側に配置されているのかを判定する処理ＳＰ１を行なうようになっている。
【０２４９】
一方、本実施形態のサーベイランス試験装置１Ｆａは、第１実施形態で説明した試験手順データＤ１〜ＤＮに対して現場・中操側操作情報が付加された試験手順データＤ１ａ〜ＤＮａを記憶する現場・中操操作情報・試験手順データ記憶部２１Ｆａを備えている。
【０２５０】
図３１に示すように、各試験手順データＤ１ａ〜ＤＮａ（図３１においては、試験手順データＤ１ａのデータ構造のみ示しているが、他のデータ構造も同様である）には、図４と同様に、試験ステップ番号毎に複数の試験手順（複数の試験サブステップがシーケンシャルに配列されており、その中の“運転員確認”サブステップには、確認操作を行なう試験員を特定する中操・現場操作情報（例えば、中操側の運転員に確認操作を行なわせる場合には“確認＝中操”、プラント現場側の運転員に確認操作を行なわせる場合には“確認＝現場”）が含まれている。
【０２５１】
そして、サーベイランスサーバ４Ｆａのモード情報記憶部７１ａは、各試験手順表示装置３Ｆａ１〜３Ｆａ３のモード情報（中操モード、現場モード、モニタモード）を、対応するモード毎にネットワークアドレスとして記憶するようになっており、コンソール管理部７２ａは、記憶されたモード情報に応じて、中操側に配置され、試験進行制御部２２に対して操作指示可能な中操モード用コンソール（試験手順表示装置）、プラント現場側に配置され、試験進行制御部２２に対して操作指示可能な現場モード用コンソール（試験手順表示装置）およびモニタモード用のコンソール（試験手順表示装置）を、複数の試験手順表示装置３Ｆ１ａ〜３Ｆ３ａの中から設定し管理するための処理ＳＰ２を行なうようになっている。
【０２５２】
次に、本実施形態のサーベイランス試験装置１Ｆａの全体動作について、特に、サーベイランスサーバ４Ｆａのコンソール管理部７２ａの処理動作および制御権判定部７０ａの処理動作を中心に説明する。
【０２５３】
第７実施形態と同様に、サーベイランス試験装置１Ｆａ起動時において、複数の試験手順表示装置３Ｆ１ａ〜３Ｆ３ａにおける装置の内の一方（例えば、中操側の試験手順表示装置３Ｆ１ａ）の制御権判定部７０ａは、試験手順表示装置接続要求を、サーベイランスサーバ４Ｆａに送信する（ステップＳ８０参照）。
【０２５４】
このとき、サーベイランスサーバ４Ｆａのコンソール管理部７２ａは、送られた情報が“接続要求”であるか否か判断し（ステップＳ９０参照）、この判断がＹＥＳであるため、中操モードの試験手順表示装置のネットワークアドレスが既に記憶されているか否か判断する（図３２；ステップＳ９１ａ）。
【０２５５】
サーベイランスサーバ４Ｆａは起動時であり、モード情報記憶部７１ａには何も記憶されてはいないため、ステップＳ９１ａの判断はＮＯとなり、コンソール管理部７２ａは、中操モードであることを表すモード通知を接続要求送信元の試験手順表示装置３Ｆ１ａに対して送信する（ステップＳ９２ａ）。
【０２５６】
次いで、コンソール管理部７２ａは、対応する試験手順表示装置３Ｆ１ａのネットワークアドレスを、中操モードのネットワークアドレスとしてモード情報記憶部７１ａに記憶して（ステップＳ９３ａ）、ステップＳ９４の処理に移行する。
【０２５７】
このとき、試験手順表示装置３Ｆ１ａの制御権判定部７０ａは、送信されてきたモード通知が中操モードであるか否か判断し（図３３；ステップＳ８１ａ）、この判断の結果はＹＥＳであるため、制御権判定部７０ａは、自試験手順表示装置３Ｆ１ａに制御権があり、かつ中操側に配置されている（中操モードである）ことを表す制御権有無情報Ｒａを記憶部１２Ｆａに記憶し（ステップＳ８２ａ）、ステップＳ８４ａの処理に移行する。
【０２５８】
一方、例えば、上記サーベイランスサーバ４ＦａのステップＳ９１ａ〜９３ａおよびＳ９４の処理後において、例えば現場側運転員の操作により現場側の試験手順表示装置３Ｆ２ａの制御権判定部７０ａからサーベイランスサーバ４Ｆａに対して接続要求が送信された際には（ステップＳ８０参照）、サーベイランスサーバ４Ｆａのコンソール管理部７２ａは、送信されてきた接続要求に応じたステップＳ９１ａの処理により中操モードの試験手順表示装置３Ｆ１ａのネットワークアドレスが既に記憶されていると判断し（ステップＳ９１ａ→ＹＥＳ）、次いで現場モードの試験手順表示装置のネットワークアドレスが既に記憶されているか否か判断する（ステップＳ９１ｂ）。
【０２５９】
今、現場モードの試験手順表示装置のネットワークアドレスは記憶されていないため、ステップＳ９１ｂの判断はＮＯになり、コンソール管理部７２ａは、接続要求送信元の試験手順表示装置３Ｆ２ａに対して、現場モードであることを表すモード通知をサーバデータ通信部２３を介して送信する（ステップＳ９５ａ）。
【０２６０】
次いで、コンソール管理部７２ａは、対応する試験手順表示装置３Ｆ２ａのネットワークアドレスを、現場モードのネットワークアドレスとしてモード情報記憶部７１ａに記憶して（ステップＳ９６ａ）、ステップＳ９４の処理に移行する。
【０２６１】
一方、上記ステップＳ９５ａの処理の結果、試験手順表示装置３Ｆ２ａの制御権判定部７０ａの上記ステップＳ８１ａの判断はＮＯとなり、試験手順表示装置３Ｆ２ａの制御権判定部７０ａは、送信されてきたモード通知が現場モードであるか否か判断し（ステップＳ８１ｂ）、この判断の結果はＹＥＳであるため、制御権判定部７０ａは、自試験手順表示装置３Ｆ２ａにプラント現場側に配置されている（現場モードである）ことを表す制御権有無情報Ｒａを記憶部１２Ｆａに記憶し（ステップＳ８２ｂ）、ステップＳ８４ａの処理に移行する。
【０２６２】
一方、例えば、上記サーベイランスサーバ４ＦａのステップＳ９１ａ〜９３ａおよびＳ９４の処理後において、他の試験手順表示装置３Ｆ３ａの制御権判定部７０ａからサーベイランスサーバ４Ｆａに対して接続要求が送信された際には（ステップＳ８０参照）、サーベイランスサーバ４Ｆａのコンソール管理部７２ａは、送信されてきた接続要求に応じたステップＳ９１ａおよび９１ｂの処理により、中操モードおよび現場モードの試験手順表示装置３Ｆ１ａおよび３Ｆ２ａのネットワークアドレスが既に記憶されていると判断し（ステップＳ９１ａ、９１ｂ→ＹＥＳ）、コンソール管理部７２ａは、接続要求送信元の試験手順表示装置３Ｆ３ａに対して、モニタモードであることを表すモード通知をサーバデータ通信部２３を介して送信する（ステップＳ９５）。
【０２６３】
次いで、コンソール管理部７２ａは、対応する試験手順表示装置３Ｆ３ａのネットワークアドレスを、モニタモードのネットワークアドレスとしてモード情報記憶部７１ａに記憶して（ステップＳ９６）、ステップＳ９４の処理に移行する。
【０２６４】
一方、上記ステップＳ９５の処理の結果、試験手順表示装置３Ｆ３ａの制御権判定部７０ａの上記ステップＳ８１ａおよび８１ｂの判断は何れもＮＯとなり、試験手順表示装置３Ｆ３ａの制御権判定部７０ａは、自試験手順表示装置３Ｆ３ａはモニタモードであることを表す制御権有無情報Ｒａを記憶部１２Ｆａに記憶して（ステップＳ８３参照）、ステップＳ８４ａの処理に移行する。
【０２６５】
続いて、各試験手順表示装置３Ｆ１ａ〜３Ｆ３ａの制御権判定部７０ａは、記憶部１２Ｆａにおける制御権有無情報Ｒａを参照し、自試験手順表示装置の操作モードが何れのモードであるかを判断する（ステップＳ８４ａ）。
【０２６６】
ステップＳ８４ａの判断の結果、中操モードであると判断された場合には、制御権判定部７０ａは、中操・現場操作情報が“確認＝現場”であるサブステップにおける“運転員確認”フリッカ要求を無効に制御する要求（フリッカ無効要求）をコンソール制御部１０Ｆａに通知し（ステップＳ８５ａ）ステップＳ８６の処理に移行する。
【０２６７】
また、ステップＳ８４ａの判断の結果、現場モードであると判断された場合には、制御権判定部７０ａは、中操・現場操作情報が“確認＝現場”であるサブステップにおける“運転員確認”ＰＢフリッカ要求のみを有効にするための制御要求をコンソール制御部１０Ｆａに通知し、かつ試験進行指示部１４Ｆａおよび表示部１３に対して、“運転員確認”ＰＢ７フリッカ要求に対応する運転員確認結果入力処理のみを有効にするための制御要求（フリッカ・現場側運転員確認操作要求）を通知して（ステップＳ８５ｂ）ステップＳ８６の処理に移行する。
【０２６８】
そして、ステップＳ８４ａの判断の結果、モニタモードであると判断された場合には、制御権判定部７０ａはステップＳ８５の処理に移行する。
【０２６９】
なお、中操モードと判断された試験手順表示装置においては、“運転員確認ＰＢ”フリッカしない現場確認項目においても、中操側運転員により確認することが可能である。
【０２７０】
以下、サーベイランスサーバ４Ｆａのコンソール管理部７２ａによりステップＳ９７以降の処理が行なわれる。この結果、第１および第７実施形態で説明したように、中操モードの試験手順表示装置３Ｆ１ａの試験進行指示に基づく試験手順データ、計測データ、判定結果等が全ての操作モードの試験手順表示装置３Ｆ１ａ〜３Ｆ３ａにそれぞれ表示される。
【０２７１】
このとき、サーベイランスサーバ４ＦａのステップＳ１０３の処理により、中操・現場操作情報が“確認＝現場”であるサブステップに対応する“運転員確認ＰＢ”フリッカ要求が制御権モード（中操モード、現場モード）の試験手順表示装置３Ｆ１ａおよび３Ｆ２ａにそれぞれ送信されてくると、中操モードの試験手順表示装置３Ｆ１ａのコンソール制御部１０Ｆａは、制御権判定部７０ａから通知されたフリッカ無効要求に応じて、サーバ４Ｆａ側から送信された“運転員確認ＰＢ”フリッカ要求を無効にし、ステップＳ５９の処理に移行する。この結果、対応するサブステップの計測データ表示エリアＡ１ｂ上には、未確認！マークのみが表示される。
【０２７２】
一方、現場モードの試験手順表示装置３Ｆ２ａのコンソール制御部１０Ｆａは、制御権判定部７０ａから通知されたフリッカ・現場側運転員確認操作要求に応じて、サーバ４Ｆａ側から送信された“運転員確認ＰＢ”フリッカ要求に従ってステップＳ５６の処理に移行する。
【０２７３】
この結果、ステップＳ５６〜５８の処理により、現場側運転員は、サーベイランス試験サブステップとして、現場側運転員に確認操作してもらいたい項目について、“運転員確認”ＰＢ７のフリッカに応じて確認することができ、その確認結果をサーベイランスサーバ４Ｆａの試験進行制御部２２に送信することができる。
【０２７４】
そして、試験進行制御部２２のステップＳ２３〜Ｓ２４およびコンソール管理部７２ａのステップＳ１０５の処理により、各試験手順表示装置３Ｆ１ａ、３Ｆ２ａのコンソール制御部１０Ｆａに判定結果表示更新要求が送信されてくると、ステップＳ５９の処理により、計測データ表示エリアＡ１ｂ上に表示された未確認“！”マークが“運転員確認済み”を表すマークに更新表示される（ステップＳ５９）。
【０２７５】
以上述べたように、本実施形態によれば、従来、サーベイランス試験実施時において、現場側の運転員による確認結果をページング（有線通話装置）等により中操側運転員を媒介としてサーベイランス試験装置側へ伝達してサーベイランス試験の進行指示を行なっていたものが、現場側運転員により直接サーベイランスサーバに対して確認操作指示を行なうことが可能になり、サーベイランス試験時の運転員確認操作の効率化を図ることができ、かつページングの聞き違え等の伝達ミスを防止して、プラント現場確認情報のサーバ側への伝達に関する信頼性を大幅に向上させることができる。
【０２７６】
（第９の実施の形態）
図３４は、本発明の第９の実施の形態に係わるサーベイランス試験装置の機能ブロック構成を概略的に示す図である。なお、図３４に示すサーベイランス試験装置において、第１実施形態のサーベイランス試験装置（図１参照）および第７実施形態のサーベイランス試験装置（図２６参照）と略同等の構成要素については、略同一の符号を付してその説明を省略または簡略化する。
【０２７７】
図３４に示すサーベイランス試験装置１Ｆｂは、第７実施形態で示したサーベイランス試験装置１Ｆと略同等の構成を有している。
【０２７８】
本実施形態のサーベイランス試験装置１Ｆｂにおけるサーベイランスサーバ４Ｆｂは、複数台の試験手順表示装置３Ｆ１および３Ｆ２の内のどちらか一方に与えられた制御権を切替えるべきか否かを判定し、切替えるべきと判定された際に他の試験手順表示装置に切替えるための処理を行なう制御権切替判定部８０を備えている。
【０２７９】
なお、制御権切替判定部８０は、試験進行制御部２２とは別個の演算処理回路で具体化することも可能であり、試験進行制御部２２と同一の演算処理回路の処理として具体化することも可能である。
【０２８０】
次に、本実施形態のサーベイランス試験装置１Ｆｂの全体動作について、特に、サーベイランスサーバ４Ｆｂの制御権切替判定部８０の処理動作、制御権判定部７０およびコンソール管理部７２ｂの処理動作を中心に説明する。
【０２８１】
本実施形態において、制御権判定部７０のステップＳ８０〜Ｓ８３の処理およびコンソール管理部７２ｂのステップＳ９０〜ステップＳ９６の処理により複数の試験手順表示装置３Ｆ１、３Ｆ２における１台の装置３Ｆ１が制御権を有する装置（制御権モードの装置）に設定され、残りの装置３Ｆ２が制御権を有さない装置（モニタモードの装置）に設定された後、制御権切替判定部８０は、サーバデータ通信部２３および１１を介して制御権モードの試験手順表示装置３Ｆ１のコンソール制御部１０Ｆｂに対して、当該試験手順表示装置３Ｆ１の例えば各構成要素単位（ハードウエアブロック単位、ソフトウエアブロック単位）のチェック信号を周期的に送信し、制御権モードの表示装置３Ｆ１のコンソール制御部１０Ｆｂにより対応する構成要素（ハードウエアブロック、ソフトウエアブロック）のチェック結果がデータ通信部１１および２３を介して周期的に返送されてくる信号に応じて、該試験手順表示装置３Ｆ１が正常に動作しているか否かを各構成要素単位（ハードウエアブロック単位、ソフトウエアブロック単位）で監視する（図３５；ステップＳ１２０）。
【０２８２】
そして、このステップＳ１２０の周期監視の結果、上記返送信号に基づいて制御権モードの試験手順表示装置３Ｆ１の動作が異常であると判断された場合（ステップＳ１２０→ＮＯ）、制御権切替判定部８０は、モード情報記憶部７１に記憶されたモード情報を参照してモニタモードの試験手順表示装置が存在するか否か判断する（ステップＳ１２１）。
【０２８３】
今、モニタモードの試験手順表示装置３Ｆ２が存在するため（ステップＳ１２１→ＹＥＳ）、制御権切替判定部８０は、制御権切替指令、すなわちモニタモードの試験手順表示装置３Ｆ２を制御権モードにする指令をコンソール管理部７２ｂに送信するとともに、サーバデータ通信部２３等を介して制御権モードに切替った試験手順表示装置３Ｆ２の制御権判定部７０に対して、制御権モード設定通知を送信する（ステップＳ１２２）。
【０２８４】
この結果、コンソール管理部７２ｂは、制御権切替指令送信後において、試験手順表示装置３Ｆ２を制御権モードの試験手順表示装置として処理を継続する。また、モード情報記憶部７１に記憶された“モニタモード”を表すモード情報を“制御権モード”に書き替える。
【０２８５】
一方、試験手順表示装置３Ｆ２の制御権判定部７０は、送信された制御権設定通知に応じて、記憶部１２Ｆに記憶された制御権有無情報Ｒを制御権有りとして書き替える。
【０２８６】
この結果、“制御権モード”に切替った試験手順表示装置３Ｆ２を介して、後続のサーベイランス試験進行指示操作が行なわれる。
【０２８７】
以上述べたように、本実施形態によれば、複数の可搬型試験手順表示装置を用いてサーベイランス試験を実施する場合において、制御権モードの試験手順表示装置が例えば故障等の障害により異常な動作を起こした場合でも、他のモニタモードの試験手順表示装置を自動的に制御権モードに切替えてサーベイランス試験を継続して実行することができるため、上記複数の可搬型試験手順表示装置を用いたサーベイランス試験装置の信頼性を大幅に向上させることができる。
【０２８８】
（第１０の実施の形態）
図３６は、本発明の第１０の実施の形態に係わるサーベイランス試験装置の機能ブロック構成を概略的に示す図である。なお、図３６に示すサーベイランス試験装置において、第１実施形態のサーベイランス試験装置（図１参照）および第８実施形態のサーベイランス試験装置（図３０参照）と略同等の構成要素については、略同一の符号を付してその説明を省略または簡略化する。
【０２８９】
図３６に示すサーベイランス試験装置１Ｇは、第８実施形態で示したサーベイランス試験装置１Ｆａと略同等の構成を有している。
【０２９０】
本実施形態において、第８実施形態の試験手順表示装置と略同等の機能・構成を有する複数台の試験手順表示装置３Ｇ１〜３Ｇ３を備えており、複数台の試験手順表示装置３Ｇ１〜３Ｇ３の内、試験手順表示装置３Ｇ１は中操側に配置され、試験手順表示装置３Ｇ２は、プラント現場側に配置されている。
【０２９１】
そして、各試験手順表示装置３Ｇ１〜３Ｇ３の試験進行指示部１４Ｇは、操作モード選択用ウインドウを表示して自試験手順表示装置の操作モードを選択するためのＰＢ（“操作モード選択”）ＰＢ１５を有しており、この操作モード選択ＰＢ１５は、表示部１３Ｇにおける試験ガイド表示画面Ｉのコンソール表示エリアＡ２に形成されている。試験進行指示部１４Ｇは、運転員の入力装置を介した操作モード選択ＰＢ１５操作に応じて、操作モード選択ウインドウ表示要求を後述する操作モード選択部に送るようになっている。
【０２９２】
操作モード選択部９０は、操作モード選択ウインドウ表示要求に応じて、操作モード選択ウインドウＷ３を試験ガイド表示画面Ｉ上にオーバーラップ表示するようになっている（図３７参照）。
【０２９３】
図３７によれば、操作モード選択ウインドウＷ３には、各操作モード選択指定用ＰＢ（中操モード選択指定ＰＢ１５Ａ１、現場モード選択指定ＰＢ１５Ａ２、モニタモード選択指定ＰＢ１５Ａ３）がそれぞれ設定された操作モード選択エリアＡＲ１と、操作モード選択エリアＡＲ１の何れかのＰＢ操作（クリック）により選択指定された操作モードを表示する表示エリアＡＲ２と、“閉じる”操作を入力可能な“閉じる”ＰＢ１５Ａ４とがそれぞれグラフィカルに形成されている。
【０２９４】
一方、本実施形態のサーベイランスサーバ４Ｇのモード情報記憶部７１Ｇは、各試験手順表示装置３Ｇ１〜３Ｇ３のモード情報（中操モード、現場モード、モニタモード）を、対応するモード毎にネットワークアドレスとして記憶するようになっており、コンソール管理部７２Ｇは、各試験手順表示装置３Ｇ１〜３Ｇ３から送られた操作モード選択要求およびモード情報記憶部７１Ｇに記憶されたモード情報に応じて、複数の試験手順表示装置（コンソール）３Ｇ１〜３Ｇ３を、中操モード用コンソール、プラント現場用コンソールおよびモニタ用コンソールの何れかに割当るための処理ＳＰ３を行なうようになっている。
【０２９５】
なお、操作モード選択部９０は、コンソール制御部１０Ｆａとは別個の演算処理回路で具体化することも可能であり、コンソール制御部１０Ｆａと同一の演算処理回路の処理として具体化することも可能である。
【０２９６】
サーベイランス試験装置１Ｇ起動時（試験手順表示装置３Ｇ１〜３Ｇ３およびサーベイランスサーバ４Ｇ起動時）において、中操側運転員は、自試験手順表示装置３Ｇ１の試験進行指示部１４Ｇの入力装置を操作して試験ガイド表示画面Ｉ上のコンソール表示エリアＡ２における“操作モード選択”ＰＢ１５を押圧（クリック）する。操作モード選択部９０は、試験進行指示部１４Ｇの入力装置操作によりクリックされた“操作モード選択”ＰＢ１５に基づく要求に応じて、図３７に示す操作モード選択ウインドウＷ３を表示部１３の試験ガイド表示画面Ｉ上に表示する。
【０２９７】
そして、中操運転員は、試験進行指示部１４Ｇの入力装置を操作して、操作モード選択ウインドウＷ３上の操作モード選択エリアＡＲ１における複数の操作モード選択指定ＰＢの中から、中操モード選択指定ＰＢ１５Ａ１を選択してクリックする。
【０２９８】
操作モード選択部９０は、中操運転員によりクリックされた、中操モード選択指定ＰＢ１５Ａ１に基づく中操モード接続要求を、制御権判定部７０ａ、コンソール制御部１０Ｆａおよびデータ通信部１１を介してサーベイランスサーバ４Ｇのデータ通信部２３に送信する。
【０２９９】
このとき、サーベイランスサーバ４Ｇのコンソール管理部７２Ｇは、送られた情報が“接続要求”であるか否か判断し（ステップＳ９０参照）、この判断がＹＥＳであるため、コンソール管理部７２Ｇは、その接続要求が中操モード要求であるか否か判断し（図３８；ステップＳ１３０）、この判断の結果中操モード要求である場合（ステップＳ１３０→ＹＥＳ）、コンソール管理部７２Ｇは、中操モードの試験手順表示装置のネットワークアドレスが既に記憶されているか否か判断する（ステップＳ１３１）。
【０３００】
サーベイランスサーバ４Ｇは起動時であり、モード情報記憶部７１Ｇには何も記憶されてはいないため、ステップＳ１３１の判断はＮＯとなり、コンソール管理部７２Ｇは、中操モード許可通知を接続要求送信元の試験手順表示装置３Ｇ１に対して送信する（ステップＳ１３２）。
【０３０１】
次いで、コンソール管理部７２Ｇは、対応する試験手順表示装置３Ｇ１のネットワークアドレスを、中操モードのネットワークアドレスとしてモード情報記憶部７１Ｇに記憶して（ステップＳ１３３）、前掲図２８のステップＳ９４の処理に移行する。
【０３０２】
このとき、試験手順表示装置３Ｇ１の制御権判定部７０ａは、前掲図３３のステップＳ８１ａ〜ステップＳ８２ａの処理を行なうことにより、自試験手順表示装置３Ｇ１が中操モードであることを記憶・認識する。
【０３０３】
また、ステップＳ１３１〜ステップＳ１３３の処理の後、すなわち、モード情報記憶部７１Ｇに中操モードの試験手順表示装置３Ｇ１のネットワークアドレスが記憶された後において、他の試験手順表示装置から中操モード選択指定ＰＢ１５Ａ１に基づく中操モード接続要求がコンソール管理部７２Ｇに送信されてきても、既に１台の試験手順表示装置３Ｇ１が中操モードとして設定され、そのネットワークアドレスがモード情報記憶部７１Ｇに記憶されているため、ステップＳ１３１の判断はＹＥＳとなり、コンソール管理部７２Ｇは、中操モード不許可通知を接続要求送信元の試験手順表示装置に対して送信する（ステップＳ１３４）。この結果、１台の試験手順表示装置３Ｇ１が中操モードとして設定された後の中操モード接続要求は許可されない。
【０３０４】
一方、上述したサーベイランス試験装置１Ｇ起動時において、プラント現場側運転員は、中操側運転員と同様に、自試験手順表示装置３Ｇ２の“操作モード選択”ＰＢ１５クリックに基づいて表示された操作モード選択ウインドウＷ３上の操作モード選択エリアＡＲ１において、現場モード選択指定ＰＢ１５Ａ２を選択してクリックする。
【０３０５】
操作モード選択部９０は、プラント現場側運転員によりクリックされた現場モード選択指定ＰＢ１５Ａ２に基づく現場モード接続要求をサーベイランスサーバ４Ｇのデータ通信部２３に送信する。
【０３０６】
このとき、送信された情報は“現場モード接続要求”であるため、コンソール管理部７２ＧのステップＳ９０の判断はＹＥＳ、およびステップＳ１３０の判断はＮＯとなり、コンソール管理部７２Ｇは、送信された接続要求が現場モード要求であるか否か判断し（ステップＳ１３５）、この判断の結果現場モード要求である場合（ステップＳ１３５→ＹＥＳ）、コンソール管理部７２Ｇは、現場モードの試験手順表示装置のネットワークアドレスが既に記憶されているか否か判断する（ステップＳ１３６）。
【０３０７】
今、モード情報記憶部７１Ｇには現場モードの試験手順表示装置のネットワークアドレスは記憶されてはいないため、ステップＳ１３６の判断はＮＯとなり、コンソール管理部７２Ｇは、現場モード許可通知を接続要求送信元の試験手順表示装置３Ｇ２に対して送信する（ステップＳ１３７）。
【０３０８】
次いで、コンソール管理部７２Ｇは、対応する試験手順表示装置３Ｇ２のネットワークアドレスを、現場モードのネットワークアドレスとしてモード情報記憶部７１Ｇに記憶して（ステップＳ１３８）、前掲図２８のステップＳ９４の処理に移行する。
【０３０９】
このとき、試験手順表示装置３Ｇ２の制御権判定部７０ａは、前掲図３３のステップＳ８１ｂ〜ステップＳ８２ｂの処理を行なうことにより、自試験手順表示装置３Ｇ２が現場モードであることを記憶・認識する。
【０３１０】
中操モードの場合と同様に、ステップＳ１３６〜ステップＳ１３８の処理の後、すなわち、モード情報記憶部７１Ｇに現場モードの試験手順表示装置３Ｇ２のネットワークアドレスが記憶された後において、他の試験手順表示装置から現場モード選択指定ＰＢ１５Ａ２に基づく現場モード接続要求がコンソール管理部７２Ｇに送信されてきても、既に１台の試験手順表示装置３Ｇ２が現場モードとして設定され、そのネットワークアドレスがモード情報記憶部７１Ｇに記憶されているため、ステップＳ１３６の判断はＹＥＳとなり、コンソール管理部７２Ｇは、現場モード不許可通知を接続要求送信元の試験手順表示装置に対して送信する（ステップＳ１３９）。この結果、１台の試験手順表示装置３Ｇ２が現場モードとして設定された後の現場モード接続要求は許可されない。
【０３１１】
一方、サーベイランス試験装置１Ｇ起動時において、例えば中操側およびプラント現場側以外の運転員は、中操側・現場側運転員と同様に、自試験手順表示装置３Ｇ３の“操作モード選択”ＰＢ１５クリックに基づいて表示された操作モード選択ウインドウＷ３上の操作モード選択エリアＡＲ１において、モニタモード選択指定ＰＢ１５Ａ３を選択してクリックする。
【０３１２】
操作モード選択部９０は、運転員によりクリックされたモニタモード選択指定ＰＢ１５Ａ３に基づくモニタモード接続要求をサーベイランスサーバ４Ｇのデータ通信部２３に送信する。
【０３１３】
このとき、送信された情報は“モニタモード接続要求”であるため、コンソール管理部７２ＧのステップＳ９０の判断はＹＥＳ、ステップＳ１３０の判断はＮＯ、およびステップＳ１３５の判断はＮＯとなり、コンソール管理部７２Ｇは、送信された接続要求がモニタモード要求であるか否か判断する（ステップＳ１４０）。
【０３１４】
今、接続要求はモニタモード要求であるため、ステップＳ１４０の判断はＹＥＳとなり、コンソール管理部７２Ｇは、モニタモード許可通知を接続要求送信元の試験手順表示装置３Ｇ３に対して送信する（ステップＳ１４１）。
【０３１５】
次いで、コンソール管理部７２Ｇは、対応する試験手順表示装置３Ｇ３のネットワークアドレスを、モニタモードのネットワークアドレスとしてモード情報記憶部７１Ｇに記憶する（ステップＳ１４２）。
【０３１６】
そして、試験手順表示装置３Ｇ３の制御権判定部７０ａは、前掲図３３のステップＳ８１ｂ、Ｓ８３の処理を行なうことにより、自試験手順表示装置３Ｇ３がモニタモードであることを記憶・認識する。
【０３１７】
このとき、ステップＳ１４０〜ステップＳ１４２の処理の後、すなわち、モード情報記憶部７１Ｇにモニタモードの試験手順表示装置３Ｇ３のネットワークアドレスが記憶された後において、他の試験手順表示装置からモニタモード選択指定ＰＢ１５Ａ３に基づくモニタモード接続要求がコンソール管理部７２Ｇに送信されてきた際には、他のモードと異なり、既にモニタモードとして試験手順表示装置３Ｇ３のネットワークアドレスが記憶されているか否かを判断する処理を行なっていないため、モニタモード接続要求送信元の全ての試験手順表示装置はモニタモードとして無条件で許可される。
【０３１８】
一方、コンソール管理部７２Ｇは、モード情報記憶部７１Ｇを参照して全ての操作モードに対して試験手順表示装置が割当てられたか否か判断しており（ステップＳ１４３）、割当てられていると判断された場合（ステップＳ１４３→ＹＥＳ）、コンソール管理部７２Ｇは、“試験開始”ＰＢ１操作許可を中操モードの試験手順表示装置３Ｇ１へサーバデータ通信部２３等を介して通知し（ステップＳ１４４）、ステップＳ９０の処理へ移行する。
【０３１９】
このとき、中操モードの試験手順表示装置３Ｇ１の試験進行指示部１４Ｇは、起動時から操作許可が通知されるまでの間、運転員の各種ＰＢクリックに基づく試験進行指示を無効にしており、通知された操作許可に応じて、制御権判定部７０ａを介して、中操側運転員のＰＢクリックに基づく試験進行指示をコンソール制御部１０Ｆａに対して送信するようになって（前掲図８：ステップＳ５３、Ｓ５４および前掲図７：ステップＳ５）いる。この結果、コンソール管理部７２Ｇの前掲図２８のステップＳ９７の判断はＹＥＳとなり、前掲図２８のステップＳ９８以降の処理が行なわれる。
【０３２０】
この結果、第１、第７および第８実施形態で説明したように、中操モードの試験手順表示装置３Ｇ１の試験進行指示に基づく試験手順データ、計測データ、判定結果等が全ての操作モードの試験手順表示装置３Ｇ１〜３Ｇ３にそれぞれ表示される。
【０３２１】
以上述べたように、本実施形態によれば、各運転員が有する各試験手順表示装置の操作モードを、その各試験手順表示装置の利用形態に応じて選択し、選択した操作モードに基づいて複数の試験手順表示装置間で連携してサーベイランス試験を実施することができるため、サーベイランス試験実施時の運転員配置や、サーベイランス試験準備における試験環境設定が容易になり、サーベイランス試験業務効率をさらに向上させることができる。
【０３２２】
【発明の効果】
請求項１記載の発明によれば、サーベイランス試験進行指示入力手段（機能）と、サーベイランス試験手順データ、サーベイランス試験結果である計測データおよび判定結果を表示する表示手段（機能）とを、上記試験進行指示に応じてサーベイランス試験を実行するサーベイランス試験実行手段（機能）から分離して、そのサーベイランス試験実行手段が搭載される計算機（第１の計算機）とは別個で、その第１の計算機とは通信ネットワークを介して通信可能な第２の計算機に上記サーベイランス試験進行指示入力手段および表示手段を搭載しているため、上記第２の計算機を可搬型とすることが可能になる。また、サーベイランス試験実施時に、例えば試験対象系統機器を操作するための機器操作部の位置等が分からなくなった場合や、通常のサーベイランス試験手順とは相違する判定結果が発生した場合等において、運転員は、従来の定例試験手順書を参照する代りに、所定の試験項目の詳細手順の表示要求を入力し、その試験項目に対応する試験詳細手順を第２の計算機上で表示することができるため、運転員は、表示された試験詳細手順を容易に確認することができ、サーベイランス試験業務の効率化が図れる。
【０３２３】
したがって、サーベイランス試験実施時において、上記第２の計算機を、例えば長手方向が約８ｍもあるサーベイランス試験対象系統機器の操作パネルにおける試験対象系統機器操作部の近傍位置に移動設置することができ、試験手順表示情報の視認性およびサーベイランス試験進行指示入力に関する操作性をそれぞれ向上させることができる。
【０３３０】
請求項２に記載された発明によれば、複数の第２の計算機に対してサーベイランス試験実施情報（試験手順、計測データ、判定結果）を送ることにより、従来ページング等でしか連絡を取ることができなかった現場側運転員を含む複数の運転員（現場側運転員、中操側運転員）に対して、上記複数の第２の計算機を介して上記サーベイランス試験情報を提供することができるため、サーベイランス試験業務の大幅な効率化を図ることができる。
【０３３１】
請求項３に記載された発明によれば、従来、サーベイランス試験実施時において、ページング等で現場確認項目の確認結果を中操側へ連絡し、中操側運転員による代理確認操作にてサーベイランス試験を進行していたものが、現場側運転員により、現場モード計算機を介して直接確認操作指示を行なうことが可能になり、サーベイランス試験時の運転員確認操作に伴う処理の効率化および現場確認結果の信頼性の向上をそれぞれ図ることができる。
【０３３２】
請求項４に記載された発明によれば、複数の第２の計算機を用いてサーベイランス試験を実施する場合に、サーベイランス試験進行指示を入力可能な進行指示モード計算機に何らかの障害が発生してその動作が異常になった場合においても、進行指示モード計算機以外の表示モード計算機の操作モードを進行指示モードに切替えることができるため、上記進行指示モードに障害が発生してもサーベイランス試験を継続して実行することが可能になり、サーベイランス試験装置の信頼性および稼働効率を大幅に向上させることができる。
【０３３３】
請求項５に記載された発明によれば、運転員による複数の第２の計算機の利用形態に応じて操作モード（中操モード、現場モード、表示モード）を選択してサーベイランス試験を実施することができるため、サーベイランス試験実施時の運転員配置や、サーベイランス試験準備における試験環境設定等を容易かつ柔軟に行なうことができ、サーベイランス試験業務の大幅な効率化を図ることができる。
【図面の簡単な説明】
【図１】本発明の第１の実施の形態に係るサーベイランス試験装置の機能ブロック構成を概略的に示す図。
【図２】図１に示すサーベイランス試験装置のハードウエア構成および各ハードウエア構成要素の接続関係を示す図。
【図３】第１の実施形態に係わるサーベイランス試験装置の機器配置イメージを示す図。
【図４】図１に示す試験手順データ記憶部に記憶された試験手順データを示す図。
【図５】図１に示す表示部に表示された試験ガイド表示画面の画面レイアウトの一例を示す図。
【図６】図５に示す試験ガイド表示画面上にオーバーラップ表示される系統・試験選択操作用ウインドウを示す図。
【図７】図１に示すサーベイランスサーバの試験進行制御部の処理の一例を示す概略フローチャート。
【図８】図１に示す試験手順表示装置のコンソール制御部の処理の一例を示す概略フローチャート。
【図９】図１に示すサーベイランスサーバの試験進行制御部の処理の一例を示す概略フローチャート。
【図１０】図１に示すサーベイランスサーバの試験進行制御部の処理の一例を示す概略フローチャート。
【図１１】図１に示すサーベイランスサーバの試験進行制御部の処理の一例を示す概略フローチャート。
【図１２】図１に示す試験手順表示装置のコンソール制御部の処理の一例を示す概略フローチャート。
【図１３】図１に示す試験手順表示装置のコンソール制御部の処理の一例を示す概略フローチャート。
【図１４】本発明の第２の実施の形態に係るサーベイランス試験装置の機能ブロック構成を概略的に示す図。
【図１５】図１４に示す系統図表示部の概略構成を示すブロック図。
【図１６】図１４に示す表示装置に表示されるサーベイランス試験対象系統図（系統画面）を示す図。
【図１７】本発明の第３の実施の形態に係るサーベイランス試験装置の機能ブロック構成を概略的に示す図。
【図１８】図１７に示す系統図表示部の概略構成を示すブロック図。
【図１９】本発明の第４の実施の形態に係るサーベイランス試験装置の機能ブロック構成を概略的に示す図。
【図２０】図１９に示す試験詳細手順データ記憶部に記憶された試験詳細手順データを示す図。
【図２１】図１９に示す試験手順表示装置の試験ガイド表示画面にオーバーラップ表示される試験詳細手順ウインドウを示す図。
【図２２】本発明の第５の実施の形態に係るサーベイランス試験装置の機能ブロック構成を概略的に示す図。
【図２３】図２２に示すステップ拡大表示処理部の処理の一例を示す概略フローチャート。
【図２４】図２２に示す試験手順表示装置の試験ガイド表示画面にオーバーラップ表示される拡大ウインドウを示す図。
【図２５】本発明の第６の実施の形態に係るサーベイランス試験装置の機能ブロック構成を概略的に示す図。
【図２６】本発明の第７の実施の形態に係るサーベイランス試験装置の機能ブロック構成を概略的に示す図。
【図２７】図２６に示す制御権判定部の処理の一例を示す概略フローチャート。
【図２８】図２６に示すコンソール管理部の処理の一例を示す概略フローチャート。
【図２９】図２６に示すコンソール管理部の処理の一例を示す概略フローチャート。
【図３０】本発明の第８の実施の形態に係るサーベイランス試験装置の機能ブロック構成を概略的に示す図。
【図３１】図３０に示す現場・中操操作情報・試験手順データ記憶部に記憶された試験手順データを示す図。
【図３２】図３０に示すコンソール管理部の処理の一例を示す概略フローチャート。
【図３３】図３０に示す制御権判定部の処理の一例を示す概略フローチャート。
【図３４】本発明の第９の実施の形態に係るサーベイランス試験装置の機能ブロック構成を概略的に示す図。
【図３５】図３４に示す制御権切替判定部の処理の一例を示す概略フローチャート。
【図３６】本発明の第１０の実施の形態に係るサーベイランス試験装置の機能ブロック構成を概略的に示す図。
【図３７】図３６に示す試験手順表示装置の試験ガイド表示画面にオーバーラップ表示される操作モード選択ウインドウを示す図。
【図３８】図３６に示すコンソール管理部の処理の一例を示す概略フローチャート。
【図３９】図３６に示すコンソール管理部の処理の一例を示す概略フローチャート。
【図４０】従来のサーベイランス試験装置の概略構成を示す図。
【図４１】従来のサーベイランス試験装置の機器配置イメージを示す図。
【符号の説明】
１、１Ａ、１Ｂ、１Ｃ、１Ｄ、１Ｅ、１Ｆ、１Ｆａ、１Ｆｂ、１Ｇ  サーベイランス試験装置
２、２Ａ  制御盤・操作パネル
３、３Ｂ、３Ｃ、３Ｅ、３Ｆ１、３Ｆ２、３Ｆ１ａ〜３Ｆ３ａ、３Ｇ１〜３Ｇ３試験手順表示装置
４、４Ａ、４Ｂ、４Ｃ、４Ｆ、４Ｆａ、４Ｆｂ、４Ｇ  サーベイランスサーバ
５  通信ネットワーク
１０、１０Ｂ、１０Ｃ、１０Ｄ、１０Ｆ、１０Ｆａ、１０Ｆｂ  コンソール制御部
１１、１１Ｂ  データ通信部
１２、１２Ｆ、１２Ｆａ  記憶部
１３、１３Ｂ、１３Ｄ、１３Ｇ  表示部
１４、１４Ｃ、１４Ｅ、１４Ｆ、１４Ｆａ、１４Ｇ  試験進行指示部
２０  プラントデータ入力部
２１  試験手順データ記憶部
２１Ｆａ  現場・中操操作情報・試験手順データ記憶部
２２、２２Ａ  試験進行制御部
２３  サーバデータ通信部
３０  表示装置
３１  系統図表示部
４１  系統図プラントデータ収集部
５０  試験詳細手順データ記憶部
５１  試験詳細手順編集部
５２  試験詳細手順表示処理部
６０  ステップ手順拡大表示処理部
６５  音声入力部
７０、７０ａ、７０ｂ  制御権判定部
７１、７１ａ、７１Ｇ  モード情報記憶部
７２、７２ａ、７２ｂ、７２Ｇ  コンソール管理部
８０  制御権切替判定部
９０  操作モード選択部
【図１】
0004413357.tif 000002
【図２】
0004413357.tif 000003
【図３】
0004413357.tif 000004
【図４】
0004413357.tif 000005
【図５】
0004413357.tif 000006
【図６】
0004413357.tif 000007
【図７】
0004413357.tif 000008
【図８】
0004413357.tif 000009
【図９】
0004413357.tif 000010
【図１０】
0004413357.tif 000011
【図１１】
0004413357.tif 000012
【図１２】
0004413357.tif 000013
【図１３】
0004413357.tif 000014
【図１４】
0004413357.tif 000015
【図１５】
0004413357.tif 000016
【図１６】
0004413357.tif 000017
【図１７】
0004413357.tif 000018
【図１８】
0004413357.tif 000019
【図１９】
0004413357.tif 000020
【図２０】
0004413357.tif 000021
【図２１】
0004413357.tif 000022
【図２２】
0004413357.tif 000023
【図２３】
0004413357.tif 000024
【図２４】
0004413357.tif 000025
【図２５】
0004413357.tif 000026
【図２６】
0004413357.tif 000027
【図２７】
0004413357.tif 000028
【図２８】
0004413357.tif 000029
【図２９】
0004413357.tif 000030
【図３０】
0004413357.tif 000031
【図３１】
0004413357.tif 000032
【図３２】
0004413357.tif 000033
【図３３】
0004413357.tif 000034
【図３４】
0004413357.tif 000035
【図３５】
0004413357.tif 000036
【図３６】
0004413357.tif 000037
【図３７】
0004413357.tif 000038
【図３８】
0004413357.tif 000039
【図３９】
0004413357.tif 000040
【図４０】
0004413357.tif 000041
【図４１】
0004413357.tif 000042